(57)【要約】【課題】データ通信を行う無線通信システム間の切り替えで発生する、再接続および切断処理による無線リソースおよび消費電力の低減を図る。【解決手段】第１サービスエリアを有する第１セルＬＣ０，ＬＣ１，ＬＣ３，ＬＣ４の第１無線通信システム(ＷＣＤＭＡ)により通信を行う第１無線通信回路(３３３，３３４)と、前記第１サービスエリアよりも狭い第２サービスエリアを有する第２セルＳＣ１，ＳＣ２，ＳＣ３の第２無線通信システム(ＬＴＥ)により通信を行う第２無線通信回路(３３１，３３２)と、通信システムを前記第１無線通信システムおよび前記第２無線通信システムの間で切り替えて通信を制御する制御回路(３０１)と、を有し、前記制御回路は、通信システムを前記第１無線通信システムおよび前記第２無線通信システムの間で切り替える時に、前記第１無線通信回路および前記第２無線通信回路を制御して、切り替え前の通信システムをアイドルに設定する。【選択図】図６
2014068209.tif 000002
【特許請求の範囲】
【請求項１】
第１サービスエリアを有する第１セルの第１無線通信システムにより通信を行う第１無線通信回路と、
前記第１サービスエリアよりも狭い第２サービスエリアを有する第２セルの第２無線通信システムにより通信を行う第２無線通信回路と、
通信システムを前記第１無線通信システムおよび前記第２無線通信システムの間で切り替えて通信を制御する制御回路と、を有し、
前記制御回路は、通信システムを前記第１無線通信システムおよび前記第２無線通信システムの間で切り替える時に、前記第１無線通信回路および前記第２無線通信回路を制御して、切り替え前の通信システムをアイドルに設定する、
ことを特徴とする無線局。
【請求項２】
前記制御回路は、
通信システムを前記第１無線通信システムから前記第２無線通信システムに切り替える時、
前記第１無線通信システムをアイドルに設定すると共に、前記第２無線通信システムをアクティブに設定して当該第２無線通信システムにより通信を行い、
前記第１無線通信システムの周辺セルサーチを停止するように、
前記第１無線通信回路および前記第２無線通信回路を制御する、
ことを特徴とする請求項１に記載の無線局。
【請求項３】
前記制御回路は、
通信システムを前記第２無線通信システムから前記第１無線通信システムに切り替える時、
前記第２無線通信システムをアイドルに設定すると共に、前記第１無線通信システムをアクティブに設定して当該第１無線通信システムにより通信を行い、
前記第２無線通信システムによる第１のタイマ期間内において、前記第２無線通信システムの新たな第２セルが見つかった場合には前記アイドルを継続し、前記第２無線通信システムの新たな第２セルが見つからない場合にはサービス範囲外の処理を行うように、
前記第１無線通信回路および前記第２無線通信回路を制御する、
ことを特徴とする請求項１に記載の無線局。
【請求項４】
前記制御回路は、
前記無線局が前記第１無線通信システムに接続されている時、
前記第１無線通信システムの他の無線局からの第１周辺セル情報に、現在接続している前記第１無線通信システムの第１セル内に前記第２無線通信システムの第２セルが存在することが含まれる場合、前記第２無線通信システムのサービス範囲外または前記アイドルの処理において周辺セルサーチを実施するように、
前記第１無線通信回路および前記第２無線通信回路を制御する、
ことを特徴とする請求項１に記載の無線局。
【請求項５】
前記制御回路は、
前記無線局が前記第１無線通信システムに接続されている時、
前記第１無線通信システムの他の無線局からの第１周辺セル情報に、現在接続している前記第１無線通信システムの第１セルの他の無線局と同じ場所に前記第２無線通信システムの第２セルの他の無線局が存在することが含まれる場合、
接続している前記第１無線通信システムの第１セルの受信信号強度または搬送波レベル対干渉・雑音比が第１の基準を満足した場合、前記第２無線通信システムのサービス範囲外または前記アイドルの処理において周辺セルサーチを実施するように、
前記第１無線通信回路および前記第２無線通信回路を制御する、
ことを特徴とする請求項４に記載の無線局。
【請求項６】
前記制御回路は、
前記無線局が前記第２無線通信システムに接続されている時、
前記第２無線通信システムの他の無線局からの第２周辺セル情報に、現在接続している前記第２無線通信システムの第２セルに対して，直接接している隣接セル，または，直接接してはいないが近くの近接セルが存在することが判別可能な情報として含まれる場合、
接続している前記第２無線通信システムの第２セルに対して，ハンドオーバ可能な前記隣接セルがなく、且つ、前記近隣セルが存在する場合には接続している前記第２無線通信システムをアイドルに設定して前記第１無線通信システムに切り替え、前記近隣セルが存在しない場合には接続している前記第２無線通信システムをアイドルに設定せずに切断処理を行うように、
前記第１無線通信回路および前記第２無線通信回路を制御する、
ことを特徴とする請求項１に記載の無線局。
【請求項７】
前記制御回路は、
通信システムを前記第２無線通信システムから前記第１無線通信システムに切り替える時、
前記第１無線通信システムの他の無線局からの第１周辺セル情報に、現在接続している前記第１無線通信システムの第１セル内に前記第２無線通信システムの第２セルが存在することが含まれる場合、前記第２無線通信システムのサービス範囲外または前記アイドルの処理において周辺セルサーチを実施するように、
前記第１無線通信回路および前記第２無線通信回路を制御する、
ことを特徴とする請求項６に記載の無線局。
【請求項８】
第１サービスエリアを有する第１セルの第１無線通信システムにより通信を行う第１無線通信回路と、
前記第１サービスエリアよりも狭い第２サービスエリアを有する第２セルの第２無線通信システムにより通信を行う第２無線通信回路と、
通信システムを前記第１無線通信システムおよび前記第２無線通信システムの間で切り替えて通信を制御する制御回路と、を有し、
前記制御回路は、通信システムを前記第１無線通信システムおよび前記第２無線通信システムの間で切り替える時に、前記第１無線通信回路および前記第２無線通信回路を制御して切り替え前の通信システムをアイドルに設定する、
ことを特徴とする半導体装置。
【請求項９】
第１サービスエリアを有する第１セルの第１無線通信システムにより通信を行う第１無線局と、
前記第１サービスエリアよりも狭い第２サービスエリアを有する第２セルの第２無線通信システムにより通信を行う第２無線局と、
前記第１無線局または前記第２無線局と通信を行う第３無線局と、を含む無線通信システムであって、
前記第３無線局は、
前記第１無線通信システムにより通信を行う第１無線通信回路と、
前記第２無線通信システムにより通信を行う第２無線通信回路と、
通信システムを前記第１無線通信システムおよび前記第２無線通信システムの間で切り替えて通信を制御する制御回路と、を有し、
前記制御回路は、通信システムを前記第１無線通信システムおよび前記第２無線通信システムの間で切り替える時に、前記第１無線通信回路および前記第２無線通信回路を制御して、切り替え前の通信システムをアイドルに設定する
ことを特徴とする無線通信システム。
【請求項１０】
第１サービスエリアを有する第１セルの第１無線通信システムにより通信を行う第１無線局と、
前記第１サービスエリアよりも狭い第２サービスエリアを有する第２セルの第２無線通信システムにより通信を行う第２無線局と、
前記第１無線局または前記第２無線局と通信を行う第３無線局と、を含む無線通信システムの制御方法であって、
前記第３無線局によって、前記第１無線通信システムおよび前記第２無線通信システムのいずれか一方により、前記第１無線局および前記第２無線局のいずれか一方との間で通信を行い、
前記第３無線局において、通信システムを前記第１無線通信システムおよび前記第２無線通信システムの間で切り替える時に、切り替え前の通信システムをアイドルに設定する、
ことを特徴とする無線通信システムの制御方法。
【発明の詳細な説明】
【技術分野】
【０００１】
この出願で言及する実施例は、無線局、半導体装置、無線通信システムおよびその制御方法に関する。
【背景技術】
【０００２】
近年、例えば、ＬＴＥ(Long Term Evolution)のような狭域通信システム(小セル)と、ＷＣＤＭＡ(Wideband Code Division Multiplexing Access)のような広域通信システム(大セル)を切り替えてデータ通信(通信)を継続する移動端末が実用化されて来ている。
【０００３】
ここで、サービスエリアの狭い狭域通信システムは、ＬＴＥに限定されるものではなく、例えば、ＷｉＭＡＸ(Worldwide Interoperability for Microwave Access)等の様々な通信システムを含む。
【０００４】
また、サービスエリアの広い広域通信システムも、ＷＣＤＭＡに限定されず、例えば、ＣＤＭＡ２０００やＧＰＲＳ(General Packet Radio Service)、或いは、ＧＳＭ（登録商標）(Global System for Mobile Communications)等の様々な通信システムを含む。
【０００５】
ところで、スマートフォンを始めとする移動端末(携帯移動端末)は、例えば、その移動端末が位置するサービスエリアでの使用可能な無線通信システムを切り替えて、通信を行うものが主流になって来ている。
【０００６】
なお、本明細書において、移動端末とは、スマートフォンや携帯電話だけでなく、ＰＤＡ(Personal Digital Assistants)やゲーム機、並びに、ノートパソコンやタブレット等の無線通信が可能な様々な機器を含む。
【０００７】
また、本明細書において、広域通信システムおよび狭域通信システムは、相対的なサービスエリア(セル)の広狭を示しており、ＬＴＥやＷｉＭＡＸでも、例えば、よりサービスエリアの小さいフェムトセル(femtocell)による通信システムに対しては、広域通信システムと見做される。
【０００８】
従来、例えば、圏内復帰処理にかかる時間を短縮し、省電力化に寄与することのできる無線通信端末装置が提案されている。
【先行技術文献】
【特許文献】
【０００９】
【特許文献１】特開２００８−２７８０５０号公報
【発明の概要】
【発明が解決しようとする課題】
【００１０】
上述したように、移動端末の通信は、例えば、その移動端末が位置するサービスエリアでの使用可能な無線通信システムを切り替えて行うようになっている。例えば、その移動端末が位置するサービスエリアにおける最も安価で高速な無線通信システムに切り替えて通信を行うようになっている。
【００１１】
そして、移動端末が無線通信システムの切り替えを行う場合、各無線通信システムの接続および切断を実施するが、その時に使用する無線リソースが非常に大きくなり、収容ユーザ数およびスループットに大きな影響を与える。さらに、複数の無線通信システムを使用することにより、移動端末の消費電力が大きくなる。
【００１２】
すなわち、移動端末が通信を行う無線通信システム間の切り替えを行うと、その処理に要するネットワーク負荷が大きくなって、接続率やユーザに提供できるスループットの低下を招くといった問題がある。さらに、移動端末は、例えば、サービス範囲外での周辺セルをサーチするため、消費電力の増大を招くといった問題もある。
【課題を解決するための手段】
【００１３】
一実施形態によれば、第１無線通信回路と、第２無線通信回路と、前記第１無線通信システムおよび前記第２無線通信システムを切り替えて通信を制御する制御回路と、を有する無線局が提供される。
【００１４】
前記第１無線通信回路は、第１サービスエリアを有する第１セルの第１無線通信システムにより通信を行い、前記第２無線通信回路は、前記第１サービスエリアよりも狭い第２サービスエリアを有する第２セルの第２無線通信システムにより通信を行う。
【００１５】
前記制御回路は、通信システムを前記第１無線通信システムおよび前記第２無線通信システムの間で切り替える時に、前記第１無線通信回路および前記第２無線通信回路を制御して、切り替え前の通信システムをアイドルに設定する。
【発明の効果】
【００１６】
開示の無線局、半導体装置、無線通信システムおよびその制御方法は、データ通信を行う無線通信システム間の切り替えで発生する、再接続および切断処理による無線リソースおよび消費電力を低減することができるという効果を奏する。
【図面の簡単な説明】
【００１７】
【図１】図１は、移動端末が複数の通信システム間を移動する場合における無線通信システムの制御方法の一例を説明するための図である。
【図２】図２は、図１における課題を説明するため図である。
【図３】図３は、本実施例の一例を示す機能ブロック図である。
【図４】図４は、本実施例に係る半導体装置の一例を示すブロック図である。
【図５】図５は、本実施例に係る無線局の一例を示すブロック図である。
【図６】図６は、無線通信システムの制御方法の第１実施例を説明するための図である。
【図７】図７は、無線通信システムの制御方法の第２実施例を説明するための図である。
【図８】図８は、図６および図７に示す無線通信システムの制御方法の第１および第２実施例の処理の一例を説明するためのフローチャートである。
【図９】図９は、図７に示す無線通信システムの制御方法のプロトコルの流れを説明するための図である。
【図１０】図１０は、無線通信システムの制御方法の第３実施例を説明するための図(その１)である。
【図１１】図１１は、無線通信システムの制御方法の第３実施例を説明するための図(その２)である。
【図１２】図１２は、図１０および図１１に示す無線通信システムの制御方法の第３実施例の処理の一例を説明するためのフローチャートである。
【図１３】図１３は、無線通信システムの制御方法の第４実施例を説明するための図(その１)である。
【図１４】図１４は、無線通信システムの制御方法の第４実施例を説明するための図(その２)である。
【図１５】図１５は、図１３および図１４に示す無線通信システムの制御方法の第４実施例の処理の一例を説明するためのフローチャートである。
【図１６】図１６は、無線通信システムの制御方法の第５実施例を説明するための図(その１)である。
【図１７】図１７は、無線通信システムの制御方法の第５実施例を説明するための図(その２)である。
【図１８】図１８は、無線通信システムの制御方法の第５実施例を説明するための図(その３)である。
【図１９】図１９は、無線通信システムの制御方法の第５実施例を説明するための図(その４)である。
【図２０】図２０は、図１６〜図１９に示す無線通信システムの制御方法の第５実施例の処理の一例を説明するためのフローチャートである。
【図２１】図２１は、無線通信システムの制御方法の第６実施例を説明するための図(その１)である。
【図２２】図２２は、無線通信システムの制御方法の第６実施例を説明するための図(その２)である。
【図２３】図２３は、無線通信システムの制御方法の第６実施例を説明するための図(その３)である。
【図２４】図２４は、無線通信システムの制御方法の第６実施例を説明するための図(その４)である。
【図２５】図２５は、図２１〜図２４に示す無線通信システムの制御方法の第６実施例の処理の一例を説明するためのフローチャートである。
【図２６】図２６は、無線通信システムの制御方法の第７実施例を説明するための図(その１)である。
【図２７】図２７は、無線通信システムの制御方法の第７実施例を説明するための図(その２)である。
【図２８】図２８は、無線通信システムの制御方法の第７実施例を説明するための図(その３)である。
【図２９】図２９は、無線通信システムの制御方法の第７実施例を説明するための図(その４)である。
【図３０】図３０は、図２６〜図２９に示す無線通信システムの制御方法の第７実施例の処理の一例を説明するためのフローチャートである。
【発明を実施するための形態】
【００１８】
まず、無線局、半導体装置、無線通信システムおよびその制御方法の実施例を詳述する前に、移動端末が無線通信システムの切り替えを行う場合、並びに、そのときの問題点を図１および図２を参照して説明する。
【００１９】
ところで、移動端末(ＭＳ)のデータ通信(通信)は、例えば、その移動端末ＭＳが位置するサービスエリアにおける使用可能な無線通信システムを切り替えて行う。すなわち、その移動端末ＭＳが位置するサービスエリアにおいて、例えば、最も安価で高速な無線通信システムに切り替えて通信を行うようになっている。
【００２０】
なお、本明細書では、ＬＴＥおよびＷｉＭＡＸを狭域通信システム(小セル)の例とし、ＷＣＤＭＡ，ＣＤＭＡ２０００，ＧＰＲＳおよびＧＳＭ（登録商標）を広域通信システム(大セル)の例として説明するが、それらに限定されるものではない。
【００２１】
また、ＬＴＥ等のサービスエリアの狭い狭域通信システムは、ＷＣＤＭＡ等のサービスエリアの広い広域通信システムよりも安価で高速な無線通信システムであるとして説明する。ただし、無線通信システムを選択するための条件は、安価で高速であることに限定されるものではない。
【００２２】
さらに、広域通信システムおよび狭域通信システムは、例えば、相対的なサービスエリアの広狭(セル半径の大小)を示すだけのものである。そして、携帯移動端末は、スマートフォンや携帯電話だけでなく、ＰＤＡやゲーム機、並びに、ノートパソコンやタブレット等の無線通信が可能な様々な機器を含むのは前述した通りである。
【００２３】
図１は、移動端末が複数の通信システム間を移動する様子を説明するための図である。図１において、参照符号ＢＳ１およびＢＳ３は狭域通信システムおよび広域通信システムの両方を含むマルチシステムの基地局(Base Station)を示し、ＢＳ２は狭域通信システムだけの基地局を示し、ＭＳは移動端末を示す。
【００２４】
参照符号ＬＣ１，ＬＣ３は、基地局ＢＳ１，ＢＳ３における広域通信システムによる広いサービスエリアを有するセル(大セル)を示す。また、参照符号ＳＣ１，ＳＣ３は、基地局ＢＳ１，ＢＳ３における狭域通信システムによる狭い(大セルＬＣ１，ＬＣ３のサービスエリアよりも狭い)サービスエリアを有するセル(小セル)を示す。さらに、参照符号ＳＣ２は、基地局ＢＳ２の狭域通信システムによる狭いサービスエリアを有する小セルを示す。
【００２５】
図１は、移動端末ＭＳが、図中の左側から右側に移動する場合、すなわち、位置Ｐ１から位置Ｐ１６に向かって移動する場合を説明するものである。なお、選択システムにおけるＷＣＤＭＡは、広域通信システム(大セル)が選択されたことを代表して示し、選択システムにおけるＬＴＥは、狭域通信システム(小セル)が選択されたことを代表して示す。
【００２６】
従って、選択システムがＷＣＤＭＡということは、ＣＤＭＡ２０００，ＧＰＲＳおよびＧＳＭ（登録商標）等の広域通信システムが選択されていることを意味する。また、選択システムがＬＴＥということは、ＷｉＭＡＸ等の狭域通信システムが選択されていることを意味する。
【００２７】
具体的に、図１に示されるように、移動端末ＭＳが位置Ｐ１のとき、移動端末ＭＳは、基地局ＢＳ１の広域通信システム(ＷＣＤＭＡ)による大セルＬＣ１の圏内であるが、いずれの基地局の狭域通信システム(ＬＴＥ)によるセル(小セル)の圏内ではない。
【００２８】
そのため、移動端末ＭＳが位置Ｐ１のとき、ＷＣＤＭＡがアクティブになり、ＬＴＥはサービス範囲外(Out of Service)になる。これにより、位置Ｐ１の移動端末ＭＳは、基地局ＢＳ１のＷＣＤＭＡにより通信を行い、選択システムはＷＣＤＭＡになる。
【００２９】
次に、移動端末ＭＳが位置Ｐ２に進むと、移動端末ＭＳは、基地局ＢＳ１のＷＣＤＭＡによる大セルＬＣ１および基地局ＢＳ１のＬＴＥによる小セルＳＣ１の両方の圏内になる。このとき、移動端末ＭＳは、ＬＴＥの接続処理(ＮＥ：Network Entry)を行う。
【００３０】
さらに、移動端末ＭＳが位置Ｐ３に移動すると、移動端末ＭＳは、ＬＴＥをアクティブにして基地局ＢＳ１のＬＴＥによる通信を開始し、基地局ＢＳ１のＷＣＤＭＡによる通信の切断処理(切断)を行う。
【００３１】
これにより、移動端末ＭＳは、位置Ｐ２から位置Ｐ３に移動する間に、基地局ＢＳ１のＷＣＤＭＡによる通信から、基地局ＢＳ１のＬＴＥによる通信に切り替わる。すなわち、選択システムは、ＷＣＤＭＡからＬＴＥに切り替わる。なお、移動端末ＭＳが位置Ｐ４に移動したとき、移動端末ＭＳは、基地局ＢＳ１のＬＴＥにより通信を行うが、同時に、ＷＣＤＭＡのセルサーチも行う。
【００３２】
さらに、移動端末ＭＳが位置Ｐ５に来ると、移動端末ＭＳは、基地局ＢＳ１のＬＴＥによる小セルＳＣ１と基地局ＢＳ２のＬＴＥによる小セルＳＣ２の両方の圏内になる。そして、移動端末ＭＳは、基地局ＢＳ１のＬＴＥによる小セルＳＣ１から、基地局ＢＳ２のＬＴＥによる小セルＳＣ２へのハンドオーバ処理(ＨＯ：Hand Over)を行う。
【００３３】
なお、移動端末ＭＳが位置Ｐ６に移動したとき、移動端末ＭＳは、基地局ＢＳ２のＬＴＥにより通信を行うが、同時に、ＷＣＤＭＡのセルサーチも継続して行う。
【００３４】
そして、移動端末ＭＳが位置Ｐ７に来ると、すなわち、移動端末ＭＳが基地局ＢＳ２のＬＴＥによる小セルＳＣ２のサービス範囲から逸脱するような位置に近づくと、移動端末ＭＳは、ＷＣＤＭＡへの接続処理(ＮＥ)を行う。
【００３５】
さらに、移動端末ＭＳが位置Ｐ８に移動すると、移動端末ＭＳは、ＷＣＤＭＡをアクティブにして基地局ＢＳ１のＷＣＤＭＡによる通信を開始し、基地局ＢＳ２のＬＴＥによる通信を切断する。
【００３６】
また、移動端末ＭＳが位置Ｐ９に来ると、移動端末ＭＳは、基地局ＢＳ１のＷＣＤＭＡによる大セルＬＣ１と基地局ＢＳ３のＷＣＤＭＡによる大セルＬＣ３の両方の圏内になる。そして、移動端末ＭＳは、基地局ＢＳ１のＷＣＤＭＡによる大セルＬＣ１から、基地局ＢＳ３のＷＣＤＭＡによる大セルＬＣ３へのハンドオーバ処理(ＨＯ)を行う。
【００３７】
なお、位置Ｐ１０における移動端末ＭＳは、基地局ＢＳ３のＷＣＤＭＡによる通信を行うが、位置Ｐ８でＬＴＥを切断してから位置Ｐ１０まで(位置Ｐ１１でＮＥ処理するまで)、ＬＴＥのサービス範囲外になっている。
【００３８】
そして、移動端末ＭＳが位置Ｐ１１に進むと、移動端末ＭＳは、基地局ＢＳ３のＷＣＤＭＡによる大セルＬＣ３および基地局ＢＳ３のＬＴＥによる小セルＳＣ３の両方の圏内になり、ＬＴＥの接続処理(ＮＥ)を行う。
【００３９】
さらに、移動端末ＭＳが位置Ｐ１２に移動すると、移動端末ＭＳは、ＬＴＥをアクティブにして基地局ＢＳ３のＬＴＥによる通信を開始し、基地局ＢＳ３のＷＣＤＭＡによる通信を切断する。
【００４０】
なお、位置Ｐ１１およびＰ１２における処理は、実質的に前述した位置Ｐ２およびＰ３における処理と同様である。さらに、位置Ｐ１３〜Ｐ１５の処理は、実質的に前述した位置Ｐ６〜Ｐ８の処理と同様であり、また、位置Ｐ１６の処理は、実質的に前述した位置Ｐ１０の処理と同様である。
【００４１】
ここで、ＬＴＥ(狭域通信システム)およびＷＣＤＭＡ(広域通信システム)において、ＮＥ(接続処理)、切断(切断処理)、および、ＨＯ(ハンドオーバ処理)は、各基地局ＢＳ１〜ＢＳ３におけるネットワークの負荷になる。また、ＬＴＥのサービス範囲外の処理、および、ＷＣＤＭＡのセルサーチの処理は、移動端末ＭＳにおける電力を消費することになる。
【００４２】
図２は、図１における課題を説明するため図であり、上述したＬＴＥのサービス範囲外の処理、および、ＷＣＤＭＡのセルサーチの処理を詳細に示すものである。
【００４３】
図２に示されるように、ＷＣＤＭＡがアクティブになって、移動端末ＭＳがＷＣＤＭＡにより通信を行っている間、移動端末ＭＳは、ＬＴＥのサービス範囲外の処理を行うことになる。このＬＴＥのサービス範囲外の処理は、例えば、周期的にＬＴＥによるセルのサーチを行うため消費電力の増大を招く。
【００４４】
また、ＬＴＥがアクティブになって、移動端末ＭＳがＬＴＥにより通信を行っている間、移動端末ＭＳは、ＷＣＤＭＡのセルサーチ処理を行うことになる。ここで、ＷＣＤＭＡのセルサーチ処理は、ＷＣＤＭＡのサービス範囲内で行うが、ＬＴＥのサービス範囲外で行うＬＴＥのセルサーチ処理と同様に、周期的にＷＣＤＭＡによるセルのサーチを行うため消費電力の増大を招く。
【００４５】
このように、移動端末ＭＳは、例えば、その移動端末が位置するサービスエリアにおける最も安価で高速な無線通信システムに切り替えて通信を行うが、無線通信システムの切り替えを行う場合、周期的セルサーチにより消費電力の増大を招くことになる。この消費電力の増大は、対応可能な無線通信システムの種類が増加するほど大きな問題となる。
【００４６】
さらに、移動端末ＭＳが無線通信システムの切り替えを行う場合、各無線通信システムの接続および切断処理を実施するが、その処理に要するネットワーク負荷が大きくなって接続率やユーザに提供できるスループットの低下を招くことにもなる。
【００４７】
以下、無線局、半導体装置、無線通信システムおよびその制御方法の実施例を、添付図面を参照して詳述する。図３は、本実施例の一例を示す機能ブロック図である。
【００４８】
図３に示されるように、本実施例の一例は、ＣＰＵ(Central Processing Unit)１、ＬＴＥ(Long Term Evolution：狭域通信システム)部２、および、ＷＣＤＭＡ(Wideband Code Division Multiplexing Access：広域通信システム)部３を含む。
【００４９】
ＣＰＵ(アプリケーションプロセッサ)１は、移動端末(ＭＳ：無線局)が基地局(ＢＳ：無線局)との間で通信を行う無線通信システムの切り替えを管理するシステム切り替え管理装置１０を含む。システム切り替え管理装置１０は、周辺セル情報処理部１０ａ，受信電界強度/ＣＩＮＲ判定処理部１０ｂ，周辺セルサーチ結果情報処理部１０ｃおよびシステム選択処理部１０ｄを含む。
【００５０】
周辺セル情報処理部１０ａは、移動端末ＭＳの周辺セルの情報を処理する。受信電界強度/ＣＩＮＲ判定処理部１０ｂは、移動端末ＭＳが受信する各基地局ＢＳからの受信電界強およびＣＩＮＲ(Carrier to Interference and Noise Ratio)を判定処理する。
【００５１】
周辺セルサーチ結果情報処理部１０ｃは、周辺セルのサーチ結果の情報を処理し、システム選択処理部１０ｄは、周辺セル情報処理部１０ａ，受信電界強度/ＣＩＮＲ判定処理部１０ｂおよび周辺セルサーチ結果情報処理部１０ｃの出力に従って、選択する無線通信システムを選択処理する。
【００５２】
ここで、図３の例では、ＣＰＵ１がＬＴＥプロトコル処理部２１およびＷＣＤＭＡプロトコル処理部３１の機能を実行するようになっているが、これらは、専用のプロセッサにより実行するようにしてもよい。
【００５３】
ＬＴＥ部２は、ＬＴＥベースバンド処理部２２，高周波(ＲＦ：Radio Frequency)モジュール２３，パワーアンプ(ＰＡ：Power Amplifier)２４およびローノイズアンプ(ＬＮＡ：Low Noise Amplifier)２５を含む。さらに、ＬＴＥ部２は、ＲＳＳＩ(Received Signal Strength Indicator)計算ユニット２６およびＣＩＮＲ計算ユニット２７を含む。
【００５４】
同様に、ＷＣＤＭＡ部３は、ＷＣＤＭＡベースバンド処理部３２，ＲＦモジュール３３，ＰＡ３４，ＬＮＡ３５，ＲＳＳＩ計算ユニット３６およびＣＩＮＲ計算ユニット３７を含む。
【００５５】
ここで、ＰＡ２４および３４は、それぞれＲＦモジュール２３および３３の高周波出力を増幅してアンテナ２８および３８に出力する。また、ＬＮＡ２５および３５は、それぞれアンテナ２８および３８を介して入力する高周波信号を増幅してＲＦモジュール２３および３３に出力する。
【００５６】
図３において、後に詳述するように、参照符号ＢＫａおよびＢＫｃは、アイドル(待ち受け)処理時に消費電力の低減を行うブロックを示し、ＢＫｂは、アイドル処理時に周辺セルサーチのために動作するブロックを示す。また、参照符号ＢＫｄは、アイドル処理時に位置登録を行うために動作するブロックを示す。
【００５７】
図４は、本実施例に係る半導体装置の一例を示すブロック図である。図４に示されるように、本実施例の半導体装置の一例は、アプリケーションプロセッサ１０１、ＬＴＥベースバンドプロセッサ１０２、ＷＣＤＭＡベースバンドプロセッサ１０３、ＷｉＭＡＸベースバンドプロセッサ１０４およびＲＦインターフェース１０５を含む。
【００５８】
ここで、アプリケーションプロセッサ１０１、各ベースバンドプロセッサ１０２，１０３，１０４、および、ＲＦインターフェース１０５は、例えば、１つの半導体装置(ＳｏＣ：System-on-a-Chip)１００として形成することができる。なお、図４は単なる例であり、１つのＳｏＣ１００とせずに、複数の半導体チップとして形成することもできる。
【００５９】
アプリケーションプロセッサ１０１は、図３を参照して説明したシステム切り替え管理装置１１０、アプリケーション処理部１２０および周辺回路１３０を含む。システム切り替え管理装置１１０は、周辺セル情報処理部１１０ａ，受信電界強度/ＣＩＮＲ判定処理部１１０ｂ，周辺セルサーチ結果情報処理部１１０ｃおよびシステム選択処理部１１０ｄを含む。
【００６０】
ＬＴＥベースバンドプロセッサ１０２は、ＬＴＥプロトコル処理部１２１およびＬＴＥベースバンド処理部１２２を含み、ＷＣＤＭＡベースバンドプロセッサ１０３は、ＷＣＤＭＡプロトコル処理部１３１およびＷＣＤＭＡベースバンド処理部１３２を含む。また、ＷｉＭＡＸベースバンドプロセッサ１０４は、ＷｉＭＡＸプロトコル処理部１４１およびＷｉＭＡＸベースバンド処理部１４２を含む。
【００６１】
すなわち、図４の例では、各プロトコル処理部１２１，１３１，１４１および各ベースバンド処理部１２２，１３２，１４２を専用のベースバンドプロセッサ１０２，１０３，１０４に設けるようになっている。
【００６２】
図５は、本実施例に係る無線局(移動端末ＭＳ)３００の一例を示すブロック図である。図５に示されるように、移動端末３００は、アプリケーションプロセッサ３０１、第１無線通信部３０２、第２無線通信部３０３、第３無線通信部３０４、フラッシュメモリ３５１、マイク３５２、スピーカ３５３およびディスプレイ３５４を含む。
【００６３】
さらに、移動端末３００は、ＳＤＲＡＭ(メモリ)３５５、パワー管理装置３０６、バッテリ３０７、ＲＦモジュール３９１，３９４、ＰＡ３９２，３９５、ＬＮＡ３９３，３９６、および、アンテナ３８１〜３８４を含む。
【００６４】
第１無線通信部３０２は、例えば、ＷｉＦｉ(Wireless Fidelity)によりアクセスポイントとの間で通信を行うためのものであり、ＷｉＦｉプロトコルプロセッサ３２１、ＷｉＦｉベースバンドプロセッサ３２２およびＲＦモジュール３２３を含む。さらに、第１無線通信部３０２は、ＰＡ３２４およびＬＮＡ３２５を含む。
【００６５】
すなわち、第１無線通信部３０２は、アクセスポイントとの間でＷｉＦｉ通信を行うために、アンテナ３８１以外を１チップのＩＣ(Integrated Circuit)として提供されたものに対応する。
【００６６】
第２無線通信部３０３は、ＬＴＥ，ＷＣＤＭＡおよびＷｉＭＡＸを切り替えて基地局(ＢＳ)との間で通信を行うためのものであり、ＬＴＥプロトコルプロセッサ３３１、ＬＴＥベースバンドプロセッサ３３２およびＲＦセレクタ３３７を含む。
【００６７】
さらに、第２無線通信部３０３は、ＷＣＤＭＡプロトコルプロセッサ３３３、ＷＣＤＭＡベースバンドプロセッサ３３４、ＷｉＭＡＸプロトコルプロセッサ３３５およびＷｉＭＡＸベースバンドプロセッサ３３６を含む。
【００６８】
そして、ＲＦセレクタ３３７により、ＬＴＥ，ＷＣＤＭＡおよびＷｉＭＡＸの無線通信システムのいずれかを選択してＲＦモジュール３９１，３９４に出力するようになっている。ここで、ＲＦモジュール３９１と３９４は、例えば、使用する周波数帯域が異なっている。
【００６９】
なお、ＲＦモジュール３９１は、ＰＡ３９２およびＬＮＡ３９３を介してアンテナ３８２に接続され、また、ＲＦモジュール３９４は、ＰＡ３９５およびＬＮＡ３９６を介してアンテナ３８３に接続されている。
【００７０】
第３無線通信部３０４は、例えば、Bluetooth（登録商標）により近距離通信を行うためのものであり、Bluetooth（登録商標）プロトコルプロセッサ３４１、および、Bluetooth（登録商標）ベースバンドプロセッサ３４２を含む。さらに、第３無線通信部３０４は、ＲＦモジュール３４３、ＰＡ３４４およびＬＮＡ３４５を含む。
【００７１】
すなわち、第３無線通信部３０４は、Bluetooth（登録商標）通信を行うために、アンテナ３８４以外を１チップのＩＣとして提供されたものに対応する。
【００７２】
なお、図５に示す移動端末３００は、ＷｉＦｉ，ＬＴＥ，ＷＣＤＭＡ，ＷｉＭＡＸおよびBluetooth（登録商標）の各無線通信方式に対応可能となっているが、本実施例の移動端末は、これらに限定されず、他の様々な無線通信方式も対応可能とすることができる。
【００７３】
図６は、無線通信システムの制御方法の第１実施例を説明するための図である。図６において、参照符号ＢＳ１およびＢＳ３は広域通信システム(第１無線通信システム)および狭域通信システム(第２無線通信システム)の両方を含むマルチシステムの基地局(ＢＳ)を示す。また、ＢＳ２は狭域通信システムだけの基地局を示し、ＭＳは移動端末を示す。
【００７４】
参照符号ＬＣ１，ＬＣ３は、基地局ＢＳ１，ＢＳ３における広域通信システムによる広いサービスエリアを有するセル(大セル：第１セル)を示す。また、参照符号ＳＣ１，ＳＣ３は、基地局ＢＳ１，ＢＳ３における狭域通信システムによる狭い(大セルＬＣ１，ＬＣ３のサービスエリアよりも狭い)サービスエリアを有するセル(小セル：第２セル)を示す。
【００７５】
さらに、参照符号ＳＣ２は、基地局ＢＳ２の狭域通信システムによる狭いサービスエリアを有する小セルを示し、ＬＣ０は、図示しない基地局における広域通信システムによる広いサービスエリアを有する大セルを示す。
【００７６】
図６は、前述した図１と同様に、移動端末(無線局)ＭＳが、図中の左側から右側に移動する場合、すなわち、位置Ｐ２０から位置Ｐ３０に向かって移動する場合を説明するものである。なお、選択システムにおけるＷＣＤＭＡは、広域通信システム(大セル)が選択されたことを代表して示し、選択システムにおけるＬＴＥは、狭域通信システム(小セル)が選択されたことを代表して示す。
【００７７】
従って、選択システムがＷＣＤＭＡということは、ＣＤＭＡ２０００おおびＧＰＲＳ等の広域通信システムが選択されていることを意味し、選択システムがＬＴＥということは、ＷｉＭＡＸ等の狭域通信システムが選択されていることを意味する。
【００７８】
前述したように、移動端末ＭＳの通信は、例えば、その移動端末ＭＳが位置するサービスエリアにおける使用可能な無線通信システムを切り替えて行う。すなわち、その移動端末ＭＳが位置するサービスエリアにおいて、例えば、最も安価で高速な無線通信システムに切り替えて通信を行うようになっている。
【００７９】
ここで、ＬＴＥ等のサービスエリアの狭い狭域通信システムは、ＷＣＤＭＡ等のサービスエリアの広い広域通信システムよりも安価で高速な無線通信システムであるとして説明する。ただし、無線通信システムを選択するための条件は、安価で高速であることに限定されるものではない。また、広域通信システムおよび狭域通信システムは、例えば、相対的なサービスエリア(セル)の広狭を示すだけのものである。
【００８０】
具体的に、図６に示されるように、移動端末ＭＳが位置Ｐ２０のとき、移動端末ＭＳは、図示しない基地局の広域通信システム(ＷＣＤＭＡ)による大セルＬＣ０と基地局ＢＳ１の広域通信システム(ＷＣＤＭＡ)による大セルＬＣ１の両方の圏内になる。そのため、移動端末ＭＳは、大セルＬＣ０から大セルＬＣ１へのハンドオーバ処理(ＨＯ)を行う。
【００８１】
次に、移動端末ＭＳが位置Ｐ２１に進むと、移動端末ＭＳは、基地局ＢＳ１のＷＣＤＭＡによる通信を行い、選択システムはＷＣＤＭＡになる。このとき、ＬＴＥはサービス範囲外(Out of Service)になるため、図１および図２を参照して説明したのと同様の周期的セルサーチを行う。
【００８２】
さらに、移動端末ＭＳが位置Ｐ２２に進むと、移動端末ＭＳは、基地局ＢＳ１のＷＣＤＭＡによる大セルＬＣ１および基地局ＢＳ１のＬＴＥによる小セルＳＣ１の両方の圏内になり、ＬＴＥの接続処理(ＮＥ)を行う。
【００８３】
そして、ＮＥ処理の完了後、ＬＴＥがアクティブになり(例えば、位置Ｐ２３)、基地局ＢＳ１のＬＴＥによる通信が可能になる。
【００８４】
このとき、本第１実施例(他の実施例も同様)では、図１および図２を参照して説明したような、基地局ＢＳ１のＷＣＤＭＡによる通信の切断処理を行ってＷＣＤＭＡのセルサーチを行うのではなく、ＷＣＤＭＡを待ち受け(アイドル)に設定する。
【００８５】
さらに、移動端末ＭＳが位置Ｐ２４に来ると、移動端末ＭＳは、基地局ＢＳ１のＬＴＥによる小セルＳＣ１と基地局ＢＳ２のＬＴＥによる小セルＳＣ２の両方の圏内になる。そのため、移動端末ＭＳは、基地局ＢＳ１のＬＴＥによる小セルＳＣ１から、基地局ＢＳ２のＬＴＥによる小セルＳＣ２へのハンドオーバ処理(ＨＯ)を行う。
【００８６】
なお、移動端末ＭＳが位置Ｐ２５に移動すると、移動端末ＭＳは、基地局ＢＳ２のＬＴＥにより通信を行うが、このとき、ＷＣＤＭＡのアイドル(アイドル処理)は、維持されることになる。
【００８７】
そして、移動端末ＭＳが位置Ｐ２６に来ると、すなわち、移動端末ＭＳが基地局ＢＳ２のＬＴＥによる小セルＳＣ２のサービス範囲から逸脱すると、移動端末ＭＳは、ＷＣＤＭＡをアクティブにして基地局ＢＳ１のＷＣＤＭＡによる通信を開始する。
【００８８】
ここで、移動端末ＭＳが位置Ｐ２６で基地局ＢＳ１のＷＣＤＭＡによる通信を開始するとき、基地局ＢＳ２のＬＴＥによる通信の切断処理を行ってＬＴＥのセルサーチを行うのではなく、ＬＴＥをアイドルに設定する。
【００８９】
さらに、移動端末ＭＳが位置Ｐ２７に来ると、移動端末ＭＳは、基地局ＢＳ１のＷＣＤＭＡによる大セルＬＣ１と基地局ＢＳ３のＷＣＤＭＡによる大セルＬＣ３の両方の圏内になる。そして、移動端末ＭＳは、基地局ＢＳ１のＷＣＤＭＡによる大セルＬＣ１から、基地局ＢＳ３のＷＣＤＭＡによる大セルＬＣ３へのハンドオーバ(ＨＯ)処理を行う。
【００９０】
なお、位置Ｐ２８における移動端末ＭＳは、基地局ＢＳ３のＷＣＤＭＡによる通信を行うが、選択システムがＷＣＤＭＡになっている間、すなわち、次にＬＴＥがアクティブになるまで、ＬＴＥはアイドルを維持する。
【００９１】
そして、移動端末ＭＳが位置Ｐ２９に進むと、移動端末ＭＳは、基地局ＢＳ３のＷＣＤＭＡによる大セルＬＣ３および基地局ＢＳ３のＬＴＥによる小セルＳＣ３の両方の圏内になり、ＷＣＤＭＡからＬＴＥに切り替えて通信を行う。
【００９２】
このとき、移動端末ＭＳは、基地局ＢＳ３のＬＴＥによる通信を行うが、選択システムがＬＴＥになっている間、すなわち、次にＷＣＤＭＡがアクティブになるまで、ＷＣＤＭＡはアイドルを維持する。
【００９３】
そして、移動端末ＭＳが位置Ｐ３０に移動すると、移動端末ＭＳは、ＷＣＤＭＡをアクティブにして基地局ＢＳ３のＷＣＤＭＡによる通信を開始し、ＬＴＥをアイドルに設定する。
【００９４】
このように、本第１実施例によれば、例えば、ＷＣＤＭＡからＬＴＥに切り替えた後、切り替え前のＷＣＤＭＡをアイドルに設定することで、切断処理および接続(再接続)処理を低減して、無線リソースの低減を行うことが可能になる。
【００９５】
ここで、例えば、大セルＬＣ１のＷＣＤＭＡから小セルＳＣ１のＬＴＥに切り替える場合、ＬＴＥに切り替えた後にアイドルになるＷＣＤＭＡは、アクティブのＬＴＥによりデータの送受信が可能なため、待ち受け受信(ページング)は不要になる。
【００９６】
さらに、例えば、小セルＳＣ１のＬＴＥが接続されている場所は、大セルＬＣ１のＷＣＤＭＡも圏内になるため、周辺セルサーチも低減することが可能になる。ただし、アイドルを維持するために、何らかのキープアライブ(Keep Alive)送信を行う。
【００９７】
本第１実施例によれば、例えば、位置Ｐ２９におけるＷＣＤＭＡのアイドルにおいて、待ち受け受信を削除してキープアライブ送信だけにすることで、より一層消費電力の低減を図ることが可能になる。
【００９８】
換言すると、通常のアイドル処理(オリジナル)は、例えば、複数の待ち受け受信とキープアライブ送信を行うが、本第１実施例によるＷＣＤＭＡのアイドル処理は、例えば、待ち受け受信を削除して、キープアライブ送信だけを行えばよい。すなわち、ＷＣＤＭＡのアイドル処理は、キープアライブ送信として、例えば、位置登録(位置登録更新：Location Update)のみを実施してアイドルを維持する。
【００９９】
このように、ＷＣＤＭＡのアイドルの処理は、例えば、待ち受け受信を行わずに、キープアライブ送信(位置登録)のみを行えばよいため、大幅な消費電力の低減を図ることができる。
【０１００】
図７は、無線通信システムの制御方法の第２実施例を説明するための図である。図６に示す第１実施例では、移動端末ＭＳが異なる通信システム(ＬＴＥ，ＷＣＤＭＡ)間を移動するときの処理を、ＷＣＤＭＡのアイドルの処理に注目して説明したが、図７に示す第２実施例では、主としてＬＴＥのアイドルの処理を説明する。なお、図７において、移動端末ＭＳは、位置Ｐ３１でＬＴＥのアイドルの処理を行っているものとする。
【０１０１】
すなわち、図７に示されるように、移動端末ＭＳが位置Ｐ３１のとき、移動端末ＭＳは、ＷＣＤＭＡによる大セルＬＣ０およびＬＣ１の両方の圏内になるため、大セルＬＣ０から大セルＬＣ１へのハンドオーバ処理(ＨＯ)を行う。
【０１０２】
この移動端末ＭＳが位置Ｐ３１のとき、移動端末ＭＳは、ＬＴＥのアイドル処理を行っている。図７に示されるように、ＬＴＥのアイドル処理は、周期的セルサーチを繰り返し、位置登録タイマが満了すると、位置Ｐ３２でサービス範囲外になる。
【０１０３】
ここで、位置登録タイマが満了するとは、例えば、予め定められた位置登録タイマ期間に、ＬＴＥの基地局と同期を取ってキープアライブ送信ができないことに相当する。なお、ＬＴＥのサービス範囲外の処理は、例えば、図２を参照して説明したように、周期的にＬＴＥによるセルのサーチを行うため消費電力の増大を招く。
【０１０４】
これに対して、移動端末ＭＳが位置Ｐ３３のとき、移動端末ＭＳは、ＷＣＤＭＡにより通信を行うが、同時に、ＬＴＥのアイドル処理を行う。この位置Ｐ３３における移動端末ＭＳによるＬＴＥのアイドル処理は、位置Ｐ３１と同様に、周期的セルサーチを繰り返すが、予め定められた位置登録タイマ期間内に次の小セル(ＬＴＥによる小セルＳＣ３)に到達した場合のものである。
【０１０５】
すなわち、移動端末ＭＳが位置Ｐ３３からＰ３４へ移動するとき、移動端末ＭＳは、ＬＴＥのアイドル処理により、新たなＬＴＥ(基地局ＢＳ３のＬＴＥによる小セルＳＣ３)を検出すると、ＬＴＥの接続処理(ＮＥ)を行うことなく、そのままアクティブにする。
【０１０６】
これにより、移動端末ＭＳが位置Ｐ３４まで進むと、ＬＴＥがアクティブになって、小セルＳＣ３の基地局ＢＳ３によるＬＴＥで通信を行うようになる。ここで、移動端末ＭＳが位置Ｐ３４のとき、移動端末ＭＳは、ＷＣＤＭＡのアイドル処理を行うが、このＷＣＤＭＡのアイドル処理は、図６を参照して説明したのと同様に、例えば、キープアライブ送信だけを行えばよい。
【０１０７】
ところで、例えば、小セルＳＣ１のＬＴＥから大セルＬＣ１のＷＣＤＭＡに切り替える場合、ＷＣＤＭＡに切り替えた後にアイドルになるＬＴＥは、圏外になることが多い。
【０１０８】
そこで、予め定められた期間(位置登録タイマ期間)だけ、圏外状態で周辺セルサーチを実施し、キープアライブ送信を行う前に(位置登録タイマ期間が満了する前に)、新たな小セルのシステム(ＬＴＥ)が見つかった場合(位置Ｐ３３)には、アイドルを継続する。なお、キープアライブ送信できない場合(位置登録タイマ期間が満了した場合)には、例えば、図７における位置Ｐ３１，Ｐ３２のように、そのまま圏外処理を行う。
【０１０９】
図８は、図６および図７に示す無線通信システムの制御方法の第１および第２実施例の処理の一例を説明するためのフローチャートである。まず、無線通信システムの制御処理が開始すると、ステップＳＴ１において、ＬＴＥ受信電界強度を測定して、ステップＳＴ２に進む。
【０１１０】
ステップＳＴ２では、測定したＬＴＥ受信電界強度はＨＯ基準(ハンドオーバ処理の基準)を満足するか否かを判定する。このＬＴＥ受信電界強度がＨＯ基準を満足するとは、例えば、ＬＴＥ受信電界強度が所定のレベルよりも低くなった場合に相当する。
【０１１１】
ステップＳＴ２において、ＬＴＥ受信電界強度がＨＯ基準を満足していると判定すると、ステップＳＴ３に進んで、ＬＴＥ隣接セルは存在するか否かを判定する。ここで、ステップＳＴ３において判定するＬＴＥ隣接セルは、現に通信を行っているセルに直接接し(隣接し)、ハンドオーバ処理が可能なセルを意味する。
【０１１２】
ステップＳＴ３において、ＬＴＥ隣接セルが存在すると判定すると、ステップＳＴ７に進んで、ＬＴＥをアクティブ、すなわち、ハンドオーバ処理(ＨＯ)を行って隣接セルのＬＴＥによる通信を行ってステップＳＴ１に戻る。ここで、ステップＳＴ７の処理は、例えば、図６における位置Ｐ２４のＬＴＥの処理に対応する。
【０１１３】
一方、ステップＳＴ３において、ＬＴＥ隣接セルが存在しないと判定すると、ステップＳＴ４に進んで、ＷＣＤＭＡをアイドルからアクティブに切り替えて、ＷＣＤＭＡによる通信を行ってステップＳＴ５に進む。
【０１１４】
ここで、ステップＳＴ４の処理は、例えば、図６における位置Ｐ２６のＷＣＤＭＡの処理に対応する。なお、ステップＳＴ２において、ＬＴＥ受信電界強度がＨＯ基準を満足していないと判定すると、そのままステップＳＴ１に戻る。
【０１１５】
ステップＳＴ５では、ＬＴＥ近隣セルは存在するか否かを判定する。ここで、ステップＳＴ５において判定するＬＴＥ近隣セルは、現に通信を行っているセルに直接接していない(隣接していない)が近くに存在すれば、その近くに存在するセルを意味する。
【０１１６】
ステップＳＴ５において、ＬＴＥ近隣セルが存在すると判定すると、ステップＳＴ６に進んで、ＬＴＥをアクティブからアイドルに切り替えてステップＳＴ９に進む。すなわち、ＬＴＥの切断処理を行わずにアイドルに切り替える。
【０１１７】
一方、ステップＳＴ５において、ＬＴＥ近隣セルが存在しないと判定すると、ステップＳＴ８に進んで、アクティブのＬＴＥを切断処理(切断)してステップＳＴ９に進む。ステップＳＴ９では、ＬＴＥ周辺セルサーチを行って、ステップＳＴ１０に進み、ＬＴＥ受信電界強度は基準を満足するか否かを判定する。
【０１１８】
なお。ＬＴＥ受信電界強度が基準を満足するとは、例えば、ＬＴＥ受信電界強度が所定のレベルよりも高くなった場合に相当する。ここで、ステップＳＴ１０の処理は、例えば、図６における位置Ｐ２９のＬＴＥの処理に対応する。
【０１１９】
ステップＳＴ１０において、ＬＴＥ受信電界強度が基準を満足していると判定すると、ステップＳＴ１１に進んで、ＬＴＥはアイドルか否かを判定する。ステップＳＴ１１において、ＬＴＥがアイドルであると判定すると、ステップＳＴ１２に進んで、ＬＴＥをアイドルからアクティブに切り替えてステップＳＴ１３に進む。これにより、ＬＴＥに対する接続処理を行わずにアクティブに切り替えることができる。
【０１２０】
一方、ステップＳＴ１１において、ＬＴＥがアイドルではないと判定すると、ステップＳＴ１４に進んで、ＬＴＥを切断から接続処理(ＮＥ)を行って、ステップＳＴ１３に進む。なお、ステップＳＴ１４におけるＬＴＥの接続処理は、ＬＴＥのアクティブ処理も含む。
【０１２１】
一方、ステップＳＴ１０において、ＬＴＥ受信電界強度が基準を満足していないと判定すると、ステップＳＴ１５に進んで、ＬＴＥはアイドルか否かを判定する。ステップＳＴ１５において、ＬＴＥがアイドルであると判定すると、ステップＳＴ１６に進んで、位置登録タイマは満了か否かを判定する。
【０１２２】
ステップＳＴ１６において、位置登録タイマが満了した、すなわち、例えば、予め定められた位置登録タイマ期間が経過したと判定すると、ステップＳＴ１７に進んで、アクティブのＬＴＥを切断処理してステップＳＴ９に戻る。
【０１２３】
従って、位置登録タイマ期間内に新たなＬＴＥが見つからなければ、図１および図２を参照して説明したのと同様な切断処理を行う。ここで、ステップＳＴ１６の処理は、例えば、図７における位置Ｐ３１のＬＴＥの処理に対応し、図７では、サービス範囲外と判定している。
【０１２４】
なお、ステップＳＴ１６において、位置登録タイマ期間が経過していない判定すると、そのままステップＳＴ９に戻る。また、ステップＳＴ１５において、ＬＴＥがアイドルではないと判定すると、そのままステップＳＴ９に戻る。
【０１２５】
図９は、図７に示す無線通信システムの制御方法のプロトコルの流れを説明するための図であり、例えば、前述した図３におけるシステム切り替え管理装置１０と、ＬＴＥ部２およびＷＣＤＭＡ部３の間のプロトコルの流れを時間に従って示すものである。
【０１２６】
図９に示されるように、例えば、システム切り替え管理装置１０は、ＬＴＥ部２に対して接続/位置登録を行うように指示する(ＳＴ２１)と、ＬＴＥがアクティブ(ＳＳ１１)になって、ＬＴＥの基地局との間で通信(データ通信)を行う。
【０１２７】
ここで、ＷＣＤＭＡは、アイドルになっている(ＳＳ２１)。なお、アイドルのＷＣＤＭＡは、例えば、待ち受け受信を行わずに、キープアライブ送信(位置登録)のみを行うことになる。
【０１２８】
そして、ＬＴＥの通信により端末情報がシステム切り替え管理装置１０に与えられ(ＳＴ２２)、それに従って、システム切り替え管理装置１０は、ＷＣＤＭＡによる接続に切り替える(ＳＴ２３)と共に、ＬＴＥをアイドルに設定する(ＳＴ２４)。
【０１２９】
これにより、ＷＣＤＭＡはアクティブ(ＳＳ２２)になってＷＣＤＭＡによる通信を行い、ＬＴＥはアイドルになる(ＳＳ１２)。ここで、端末情報は、ＷＣＤＭＡの通信によりシステム切り替え管理装置１０に与えられる(ＳＴ２５)。なお、アイドルのＬＴＥは、例えば、位置登録タイマが満了するまで、待ち受け受信を行うことになる。
【０１３０】
そして、ＬＴＥ部２が新しいセル情報をシステム切り替え管理装置１０に出力する(ＳＴ２６)と、システム切り替え管理装置１０は、ＬＴＥ部２に対して位置登録を行い(ＳＴ２７)、ＬＴＥを再びアクティブにする(ＳＳ１３)。
【０１３１】
さらに、システム切り替え管理装置１０は、ＷＣＤＭＡをアイドルに設定する(ＳＴ２８)。これにより、ＷＣＤＭＡは、再びアイドルになる(ＳＳ２３)。
【０１３２】
図１０および図１１は、無線通信システムの制御方法の第３実施例を説明するための図である。ここで、図１０および図１１における基地局３０は、例えば、前述した図６および図７における狭域通信システムおよび広域通信システムの両方を含む基地局３とは異なり、広域通信システムだけの基地局となっている。従って、図１０および図１１では、図６および図７におけるＬＴＥによる小セルＳＣ３は含まれていない。
【０１３３】
本第３実施例は、例えば、ＬＴＥの待受け受信中(アイドル)またはサービス範囲圏外での周期的セルサーチによって、ＷＣＤＭＡにより同報送信されている周辺セル情報を受信し、その周辺セル情報を利用して周期的セルサーチの実施頻度を最適化するものである。
【０１３４】
すなわち、図１０および図１１に示されるように、移動端末ＭＳが位置Ｐ３５のとき、移動端末ＭＳは、ＷＣＤＭＡの同報送信により周辺セル情報を受信する。具体的に、例えば、位置Ｐ３５で受信した周辺セル情報により、ＷＣＤＭＡによる大セルＬＣ１内に、ＬＴＥによる小セルＳＣ１，ＳＣ２が存在することが判明した場合には、位置Ｐ３６のＬＴＥのサービス範囲外の処理において、周期的セルサーチを開始する。
【０１３５】
また、移動端末ＭＳが位置Ｐ３７のとき、移動端末ＭＳは、ＷＣＤＭＡの同報送信により周辺セル情報を受信する。具体的に、例えば、位置Ｐ３７で受信した周辺セル情報により、位置登録タイマの満了前に、大セルＬＣ３内に、ＬＴＥによる小セルが存在しないことが判明した場合には、位置Ｐ３８のＬＴＥのサービス範囲外の処理において、周期的セルサーチを停止する。
【０１３６】
このように、本第３実施例によれば、例えば、ＷＣＤＭＡで同報送信された周辺セル情報を利用して、ＬＴＥのアイドルまたはサービス範囲圏外での周期的セルサーチの実施頻度を最適化することで、無駄な消費電力の増加を抑えることが可能になる。
【０１３７】
ここで、図１１に示されるように、大セルＬＣ１用の基地局ＢＳ１からの周辺セル情報には、例えば、大セルＬＣ３の情報、大セルＬＣ０の情報、小セルＳＣ１の情報および小セルＳＣ２の情報が含まれる。また、大セルＬＣ３用の基地局ＢＳ３０からの周辺セル情報には、例えば、大セルＬＣ１の情報および大セルＬＣ４の情報が含まれる。
【０１３８】
すなわち、例えば、移動端末ＭＳが位置Ｐ３６のとき、移動端末ＭＳは、ＷＣＤＭＡによる大セルＬＣ１の基地局ＢＳ１から、基地局ＢＳ３のＷＣＤＭＡによる大セルＬＣ３の情報、および、図示しない基地局のＷＣＤＭＡによる大セルＬＣ０の情報を受け取る。
【０１３９】
また、例えば、移動端末ＭＳが位置Ｐ３６のとき、移動端末ＭＳは、ＷＣＤＭＡによる大セルＬＣ１の基地局ＢＳ１から、基地局ＢＳ１のＬＴＥによる小セルＳＣ１の情報、および、基地局ＢＳ２のＬＴＥによる小セルＳＣ２の情報を周辺セル情報として受け取る。
【０１４０】
さらに、例えば、移動端末ＭＳが位置Ｐ３８のとき、移動端末ＭＳは、ＷＣＤＭＡによる大セルＬＣ３の基地局ＢＳ３０から、基地局ＢＳ１のＷＣＤＭＡによる大セルＬＣ１の情報、および、ＷＣＤＭＡによる大セルＬＣ０の情報を周辺セル情報として受け取る。
【０１４１】
また、図１１に示されるように、小セルＳＣ１用の基地局ＢＳ１からの周辺セル情報には、例えば、小セルＳＣ２の情報が含まれ、さらに、小セルＳＣ２用の基地局ＢＳ２からの周辺セル情報には、例えば、小セルＳＣ１の情報が含まれる。
【０１４２】
すなわち、例えば、移動端末ＭＳが位置Ｐ２３のとき、移動端末ＭＳは、ＬＴＥによる小セルＳＣ１の基地局ＢＳ１から、基地局ＢＳ２のＬＴＥによる小セルＳＣ２の情報を周辺セル情報として受け取る。
【０１４３】
さらに、例えば、移動端末ＭＳが位置Ｐ２５のとき、移動端末ＭＳは、ＬＴＥによる小セルＳＣ２の基地局ＢＳ２から、基地局ＢＳ１のＬＴＥによる小セルＳＣ１の情報を周辺セル情報として受け取る。
【０１４４】
図１２は、図１０および図１１に示す無線通信システムの制御方法の第３実施例の処理の一例を説明するためのフローチャートである。ここで、図１２におけるステップＳＴ１〜ＳＴ４，ＳＴ７およびＳＴ９〜ＳＴ１７は、前に図８を参照して詳述したので、その説明は省略する。
【０１４５】
図１２に示されるように、ステップＳＴ３でＬＴＥ隣接セルが存在しないと判定すると、ステップＳＴ４でＷＣＤＭＡをアイドルからアクティブに切り替えると共に、ステップＳＴ３１でＬＴＥをアクティブからアイドルに切り替えて、ステップＳＴ１５に進む。
【０１４６】
さらに、図１２では、図８を参照して説明したステップＳＴ９の前にステップＳＴ３２が設けられている。すなわち、ステップＳＴ１５でＬＴＥがアイドルではない、または、ステップＳＴ１６で位置登録タイマ期間が経過していない、或いは、ステップＳＴ１７でＬＴＥをアイドルから切断状態にした後、ステップＳＴ３２に進む。
【０１４７】
ステップＳＴ３２では、ＷＣＤＭＡからの周辺セル情報にＬＴＥが存在するか否かを判定する。すなわち、ステップＳＴ３２において、ＷＣＤＭＡからの周辺セル情報にＬＴＥが存在すると判定すると、前述した図８の処理と同様に、ステップＳＴ９に進む。
【０１４８】
一方、ステップＳＴ３２において、ＷＣＤＭＡからの周辺セル情報にＬＴＥが存在しないと判定すると、ステップＳＴ１７に進んで、ＬＴＥをアイドルから切断状態にする。すなわち、ＷＣＤＭＡからの周辺セル情報によって、ＬＴＥが存在しないことが判明するため、例えば、ステップＳＴ９のＬＴＥ周辺セルサーチを行うことなく、ＬＴＥを切断状態にする。これにより、消費電力のより一層の低減を図ることができる。
【０１４９】
図１３および図１４は、無線通信システムの制御方法の第４実施例を説明するための図であり、図１５は、図１３および図１４に示す無線通信システムの制御方法の第４実施例の処理の一例を説明するためのフローチャートである。
【０１５０】
ここで、本第４実施例は、上述した第３実施例において、ＷＣＤＭＡで同報送信された周辺セル情報の利用の仕方が異なっている。すなわち、本第４実施例では、接続している大セルの基地局と同じ場所に小セルの基地局が存在することが同報されている場合、例えば、１つの基地局ＢＳ１が大セルＬＣ１のＷＣＤＭＡと小セルＳＣ１のＬＴＥを兼用する場合を想定している。
【０１５１】
ただし、大セルの基地局と小セルの基地局が同じ場所に存在するとは、１つの基地局が大セル用および小セル用の無線通信システムの基地局を兼用する場合に限定されるものではなく、同じ場所(ほぼ同じ場合を含む)に両方の基地局が別々に存在してもよい。
【０１５２】
なお、図１３および図１４は、図１０および図１１と同様に、基地局３０は、大セルＬＣ３のＷＣＤＭＡだけの基地局となっている。また、図１５の第４実施例のフローチャートでは、前述した図１２の第３実施例におけるステップＳＴ３２とステップＳＴ９の間に、ステップＳＴ４１が挿入されている。
【０１５３】
すなわち、図１３および図１４に示されるように、移動端末ＭＳが位置Ｐ３５のとき、移動端末ＭＳは、ＷＣＤＭＡの同報送信により周辺セル情報を受信する。この周辺セル情報により、同じ基地局ＢＳ１のＬＴＥによる小セルＳＣ１がＷＣＤＭＡによる大セルＬＣ１内にあることを認識する。
【０１５４】
さらに、移動端末ＭＳが位置Ｐ４０に進んで、接続セルＬＣ１の電界強度(ＷＣＤＭＡの電界強度)が一定レベルを上回ると、すなわち、ＷＣＤＭＡと同じ基地局ＢＳ１に近づいた場合には、ＬＴＥの周期的なセルサーチを開始する。
【０１５５】
換言すると、基地局ＢＳ１のＷＣＤＭＡによる大セルＬＣ１のＲＳＳＩ(受信信号強度)またはＣＩＮＲ(搬送波レベル対干渉・雑音比)が基準を満足したら、ＬＴＥの周期的なセルサーチを開始する。これにより、常に周期的なセルサーチを行っているものに比較して消費電力の低減を図ることが可能になる。
【０１５６】
そして、基地局ＢＳ１のＬＴＥによる小セルＳＣ１の圏内になると、ＬＴＥの接続処理(ＮＥ)が発生し、ＷＣＤＭＡからＬＴＥに切り替わる。なお、他の処理は、前述した各実施例と同様なので、その説明は省略する。
【０１５７】
なお、図１３では、例えば、移動端末ＭＳが位置Ｐ４１に来ると、位置登録タイマ期間の満了前に、新たな大セル(ＬＣ３)内に小セルのシステム(ＬＴＥ)が無いことが判明したため、周辺セルサーチを停止してサービス範囲外の処理に移行する。
【０１５８】
ここで、図１４に示されるように、例えば、移動端末ＭＳが位置Ｐ４２のとき、移動端末ＭＳは、ＬＴＥによる小セルＳＣ１の基地局ＢＳ１から、基地局ＢＳ２のＬＴＥによる小セルＳＣ２の情報を周辺セル情報として受け取る。
【０１５９】
また、例えば、移動端末ＭＳが位置Ｐ４３のとき、移動端末ＭＳは、ＬＴＥによる小セルＳＣ２の基地局ＢＳ２から、基地局ＢＳ１のＬＴＥによる小セルＳＣ１の情報を周辺セル情報として受け取る。
【０１６０】
さらに、例えば、移動端末ＭＳが位置Ｐ３６のとき、移動端末ＭＳは、基地局ＢＳ１から、大セルＬＣ０の情報，大セルＬＣ３の情報，位置情報を含む小セルＳＣ１の情報(ＬＣ１，ＢＳ１)および小セルＳＣ２の情報を周辺セル情報として受け取る。
【０１６１】
そして、例えば、移動端末ＭＳが位置Ｐ３８のとき、移動端末ＭＳは、基地局ＢＳ３０から、大セルＬＣ１の情報および大セルＬＣ４の情報を周辺セル情報として受け取る。
【０１６２】
このように、本第４実施例は、前述した第３実施例において、接続している大セルの基地局と同じ場所に小セルの基地局が存在することが同報されている場合、接続セル受信電界強度が一定レベルを上回った場合に周辺セルサーチを実施する。すなわち、アイドル中または圏外中の小セルのＬＴＥシステムでの周辺セルサーチを実施する。
【０１６３】
前述したように、図１５のフローチャートでは、図１２におけるステップＳＴ３２とステップＳＴ９の間に、ステップＳＴ４１が挿入されている。すなわち、図１５に示されるように、ステップＳＴ３２において、ＷＣＤＭＡからの周辺セル情報にＬＴＥが存在すると判定すると、ステップＳＴ４１に進む。
【０１６４】
ステップＳＴ４１では、ＬＴＥに隣接セルが存在し、且つ、ＷＣＤＭＡの受信品質が閾値よりも低いか否かを判定する。ステップＳＴ４１において、ＬＴＥに隣接セルが存在するが、ＷＣＤＭＡの受信品質が閾値よりも低いと判定すると、ステップＳＴ３２に戻って前述した処理を繰り返す。
【０１６５】
一方、ステップＳＴ４１において、ＬＴＥに隣接セルが存在してＷＣＤＭＡの受信品質が閾値よりも低くない(高い)、すなわち、移動端末ＭＳがＬＴＥとＷＣＤＭＡの共通の基地局ＢＳ１の近くに来ていると判定すると、ステップＳＴ９に進む。
【０１６６】
そして、ステップＳＴ９において、ＬＴＥの周辺セルサーチを行ってステップＳＴ１０に進み、前述したステップＳＴ１０以降の処理を行う。このように、移動端末ＭＳがＬＴＥ(およびＷＣＤＭＡ)の基地局ＢＳ１に近い場合だけＬＴＥの周辺セルサーチを行うことにより、消費電力をより一層低減することができる。
【０１６７】
図１６〜図１９は、無線通信システムの制御方法の第５実施例を説明するための図であり、小セルのシステム(ＬＴＥ)で同報送信されている周辺セル情報に、隣接セルと近隣セルが判別可能な情報を送信する場合を示す。
【０１６８】
ここで、図１６および図１７は、ＬＴＥで同報送信される周辺セル情報に隣接セルおよび近隣セルがある場合の例を示し、図１８および図１９は、ＬＴＥで同報送信される周辺セル情報に隣接セルおよび近隣セルがない場合の例を示す。
【０１６９】
従って、図１６および図１７は、例えば、前述した第１実施例の図６と同様に、基地局ＢＳ１，ＢＳ２，ＢＳ３、小セルＳＣ１，ＳＣ２，ＳＣ３、並びに、大セルＬＣ０，ＬＣ１，ＬＣ３を含む。
【０１７０】
まず、図１６および図１７に示されるように、移動端末ＭＳが位置Ｐ５１のとき、移動端末ＭＳは、ＬＴＥの同報送信により周辺セル情報(同報情報)を受信し、この同報情報に隣接セル・近接セルが存在するため、アイドル処理を実施する。
【０１７１】
また、移動端末ＭＳが位置Ｐ５２に来ると、位置登録タイマ期間の満了前に、近隣の基地局を見つけたため、アクティブにしてＷＣＤＭＡからＬＴＥへの切り替えを行う。さらに、移動端末ＭＳが位置Ｐ５３まで進むと、ＬＴＥの同報情報に近隣セルが存在するため、アイドル処理を実施する。
【０１７２】
ここで、図１７に示されるように、例えば、移動端末ＭＳが位置Ｐ２１のとき、移動端末ＭＳは、ＷＣＤＭＡによる大セルＬＣ１の基地局ＢＳ１から、大セルＬＣ０の情報および大セルＬＣ３の情報を周辺セル情報として受け取る。
【０１７３】
また、例えば、移動端末ＭＳが位置Ｐ２８のとき、移動端末ＭＳは、ＷＣＤＭＡによる大セルＬＣ３の基地局ＢＳ３から、大セルＬＣ１の情報および大セルＬＣ４の情報を周辺セル情報として受け取る。
【０１７４】
さらに、図１７に示されるように、例えば、移動端末ＭＳが位置Ｐ２３のとき、移動端末ＭＳは、ＬＴＥによる小セルＳＣ１の基地局ＢＳ１から、小セルＳＣ２の情報(隣接)および小セルＳＣ３(近接)の情報を周辺セル情報として受け取る。なお、この周辺セル情報には、実際に通信を行っているセルＳＣ１に接している隣接セルＳＣ２だけでなく、接してはいないが近くにある近接セルＳＣ３の情報も含まれている。
【０１７５】
また、例えば、移動端末ＭＳが位置Ｐ２５のとき、移動端末ＭＳは、ＬＴＥによる小セルＳＣ２の基地局ＢＳ２から、小セルＳＣ１の情報(隣接)および小セルＳＣ３の情報(近接)を周辺セル情報として受け取る。
【０１７６】
次に、図１８および図１９は、例えば、前述した第４実施例の図１３および図１４からさらに基地局ＢＳ２を除いたものに対応し、基地局ＢＳ１，ＢＳ３０、小セルＳＣ１、並びに、大セルＬＣ０，ＬＣ１，ＬＣ３を含む。
【０１７７】
図１８および図１９の場合、大セルは、図１６および図１７と同様に、ＬＣ０，ＬＣ１，ＬＣ３の３つ存在するが、小セルは、ＳＣ１の１つだけである。このとき、図１８および図１９に示されるように、移動端末ＭＳが位置Ｐ５４のとき、移動端末ＭＳは、ＬＴＥの同報送信で隣接/近接するＬＴＥによる小セルがない(情報なし)ことを認識する。
【０１７８】
これにより、移動端末ＭＳが位置Ｐ５４に来ると、ＬＴＥからＷＣＤＭＡへの切り替え、すなわち、基地局ＢＳ１のＬＴＥによる小セルＳＣ１から基地局ＢＳ１のＷＣＤＭＡによる大セルＬＣ１への切り替えが行われ、また、ＬＴＥは切断処理される。従って、例えば、位置Ｐ５４の移動端末ＭＳは、ＬＴＥのサービス範囲外の処理、すなわち、周期的なセルサーチを行うことになる。
【０１７９】
ここで、図１９に示されるように、例えば、移動端末ＭＳが位置Ｐ２１のとき、移動端末ＭＳは、ＷＣＤＭＡによる大セルＬＣ１の基地局ＢＳ１から、大セルＬＣ０の情報および大セルＬＣ３の情報を周辺セル情報として受け取る。
【０１８０】
また、例えば、移動端末ＭＳが位置Ｐ５６のとき、移動端末ＭＳは、ＷＣＤＭＡによる大セルＬＣ３の基地局ＢＳ３０から、大セルＬＣ１の情報および大セルＬＣ４の情報を周辺セル情報として受け取る。
【０１８１】
さらに、図１９に示されるように、例えば、移動端末ＭＳが位置Ｐ２３のとき、移動端末ＭＳは、ＬＴＥによる小セルＳＣ１の基地局ＢＳ１から、ＬＴＥによる小セルがないという情報(情報なし)を周辺セル情報として受け取る。
【０１８２】
このように、本第５実施例は、ハンドオーバを行うことが可能な隣接セルが無く、近隣セルが周辺セル情報に存在した場合は、現在接続している基地局でアイドル(アイドルモード)になり、他のシステムに切り替える。なお、近隣セルが設定されていない場合には、アイドルにはならず、切断処理を実施することになる。
【０１８３】
図２０は、図１６〜図１９に示す無線通信システムの制御方法の第５実施例の処理の一例を説明するためのフローチャートである。図２０と前述した図１２との比較から明らかなように、図２０の第５実施例のフローチャートでは、図１２の第３実施例におけるステップＳＴ３１とステップＳＴ１５の間に、ステップＳＴ５１およびＳＴ５２が挿入されている。
【０１８４】
なお、ステップＳＴ１０でＬＴＥ受信電界強度が基準を満足していないと判定した場合には、直ちにステップＳＴ１５に進むのではなく、ステップＳＴ５１に進むようになっている。
【０１８５】
すなわち、図２０に示されるように、ステップＳＴ３１でＬＴＥをアクティブからアイドルに切り替えた後、並びに、ステップＳＴ１０でＬＴＥ受信電界強度が基準を満足していないと判定すると、ステップＳＴ５１に進む。このステップＳＴ５１でＬＴＥ周辺セル情報に隣接セルまたは近接セルが存在するか否かを判定する。
【０１８６】
ステップＳＴ５１において、ＬＴＥ周辺セル情報に隣接セルまたは近接セルが存在すると判定すると、そのまま、ステップＳＴ１５に進んで、ＬＴＥがアイドルか否かを判定し、前述したのと同様の処理を行う。
【０１８７】
一方、ステップＳＴ５１において、ＬＴＥ周辺セル情報に隣接セルまたは近接セルが存在しないと判定すると、ステップＳＴ５２に進んで、アイドル中のＬＴＥを切断する。この切断処理は、例えば、図１８および図１９における位置Ｐ５４の処理に対応する。これにより、ＬＴＥはサービス範囲外の処理、すなわち、周期的なセルサーチを繰り返すことになる。
【０１８８】
図２１〜図２４は、無線通信システムの制御方法の第６実施例を説明するための図である。本第６実施例は、例えば、大セルのＷＣＤＭＡの基地局から同報送信される周辺セル情報に、大セルの圏内に存在する小セルのＬＴＥの情報も同時に送信するようになっている。
【０１８９】
ここで、図２１および図２２は、ＬＴＥで同報送信される周辺セル情報に隣接セルおよび近隣セルがある場合の例を示し、図２３および図２４は、ＬＴＥで同報送信される周辺セル情報に隣接セルおよび近隣セルがない場合の例を示す。
【０１９０】
図２２と前述した図１７との比較から明らかなように、本第６実施例では、例えば、移動端末ＭＳが位置Ｐ２１のとき、移動端末ＭＳは、大セルＬＣ１の基地局ＢＳ１から、大セルの情報だけでなく、小セルの情報も周辺セル情報として受け取る。
【０１９１】
すなわち、図２２に示されるように、例えば、移動端末ＭＳが位置Ｐ２１のとき、移動端末ＭＳは、大セルＬＣ１の基地局ＢＳ１から、大セルＬＣ３の情報，大セルＬＣ０の情報，小セルＳＣ１の情報および小セルＳＣ２の情報を周辺セル情報として受け取る。さらに、移動端末ＭＳは、小セルＳＣ１と小セルＳＣ２が隣接しているという情報も周辺セル情報として受け取る。
【０１９２】
また、例えば、移動端末ＭＳが位置Ｐ２８のとき、移動端末ＭＳは、ＷＣＤＭＡによる大セルＬＣ３の基地局ＢＳ３から、大セルＬＣ１の情報，大セルＬＣ４の情報および小セルＳＣ３の情報を周辺セル情報として受け取る。
【０１９３】
これにより、図２１と図１６との比較から明らかなように、例えば、ＬＴＥがサービス範囲外(Ｐ２１)で行う周期的なセルサーチを短い期間とし、すなわち、周期的なセルサーチを開始するタイミングを遅らせて、消費電力をより一層低減することができる。
【０１９４】
さらに、図２４と前述した図１９との比較から明らかなように、本第６実施例では、例えば、移動端末ＭＳが位置Ｐ２１のとき、移動端末ＭＳは、移動端末ＭＳは、大セルＬＣ１の基地局ＢＳ１から、大セルの情報だけでなく、小セルの情報も周辺セル情報として受け取る。
【０１９５】
すなわち、図２４に示されるように、例えば、移動端末ＭＳが位置Ｐ２１のとき、移動端末ＭＳは、大セルＬＣ１の基地局ＢＳ１から、大セルＬＣ３の情報，大セルＬＣ０の情報および小セルＳＣ１の情報を周辺セル情報として受け取る。
【０１９６】
ただし、例えば、移動端末ＭＳが位置Ｐ５６のとき、前述した図１９と同様に、移動端末ＭＳは、ＷＣＤＭＡによる大セルＬＣ３の基地局ＢＳ３０から、大セルＬＣ１の情報および大セルＬＣ４の情報を周辺セル情報として受け取る。
【０１９７】
さらに、図２４に示されるように、例えば、移動端末ＭＳが位置Ｐ２３のとき、前述した図１９と同様に、移動端末ＭＳは、ＬＴＥによる小セルＳＣ１の基地局ＢＳ１から、ＬＴＥによる小セルがないという情報(情報なし)を周辺セル情報として受け取る。
【０１９８】
これにより、図２３と図１８との比較から明らかなように、例えば、ＬＴＥがサービス範囲外で行う周期的なセルサーチ(Ｐ５６)を短い期間とし、すなわち、周期的なセルサーチを終了するタイミングを早めて、消費電力をより一層低減することができる。
【０１９９】
すなわち、本第６実施例は、大セルのＷＣＤＭＡの基地局から同報送信される周辺セル情報に、大セルの圏内にある小セルの情報も同時に送信することによって、小セルのＬＴＥのアイドルおよび圏外でのセルサーチを最適化して消費電力を低減することができる。
【０２００】
図２５は、図２１〜図２４に示す無線通信システムの制御方法の第６実施例の処理の一例を説明するためのフローチャートである。図２５と前述した図２０との比較から明らかなように、図２５の第６実施例のフローチャートでは、図２０の第５実施例におけるステップＳＴ５１，ＳＴ５２とステップＳＴ１５の間に、ステップＳＴ６１〜ＳＴ６４が挿入されている。
【０２０１】
すなわち、図２５に示されるように、ステップＳＴ５１において、ＬＴＥ周辺セル情報に隣接セルまたは近接セルが存在すると判定すると、ステップＳＴ６１に進み、ＷＣＤＭＡの周辺セル情報にＬＴＥが存在するか否かを判定する。
【０２０２】
ステップＳＴ６１において、ＷＣＤＭＡの周辺セル情報にＬＴＥが存在しないと判定すると、ステップＳＴ６２に進んで、ＬＴＥのアイドルおよび周辺セルサーチを停止して、ステップＳＴ１５に進む。また、ステップＳＴ６１において、ＷＣＤＭＡの周辺セル情報にＬＴＥが存在すると判定すると、そのままステップＳＴ１５に進む。
【０２０３】
一方、ステップＳＴ５１において、ＬＴＥ周辺セル情報に隣接セルまたは近接セルが存在しないと判定すると、ステップＳＴ５２に進んで、アイドル中のＬＴＥを切断した後、ステップＳＴ６３に進んで、ＷＣＤＭＡの周辺セル情報にＬＴＥが存在するか否かを判定する。
【０２０４】
ステップＳＴ６３において、ＷＣＤＭＡの周辺セル情報にＬＴＥが存在しないと判定すると、ステップＳＴ６４に進んで、ＬＴＥの周辺セルサーチを停止して、ステップＳＴ１５に進む。また、ステップＳＴ６３において、ＷＣＤＭＡの周辺セル情報にＬＴＥが存在すると判定すると、そのままステップＳＴ１５に進む。
【０２０５】
このように、本第６実施例において、大セルのＷＣＤＭＡの基地局から同報送信される周辺セル情報には、大セルの圏内にある小セルの情報も含まれるが、ステップＳＴ６１およびＳＴ６３により、この周辺セル情報におけるＬＴＥによる小セルの存在を判定する。
【０２０６】
そして、ステップＳＴ６１およびＳＴ６３において、ＷＣＤＭＡの周辺セル情報にＬＴＥが存在しないと判定すると、ステップＳＴ６２およびＳＴ６４でＬＴＥの周辺セルサーチを停止することにより、消費電力をより一層低減することが可能になる。
【０２０７】
なお、ステップＳＴ６４における周辺セルサーチの停止(周期的なセルサーチの停止)処理は、例えば、図２３および図２５における位置Ｐ５６の処理に対応する。このように、ＬＴＥのサービス範囲外の処理において、不要なセルサーチを停止することにより、より一層の消費電力の低減を図ることができる。
【０２０８】
図２６〜図２８は、無線通信システムの制御方法の第７実施例を説明するための図である。本第７実施例は、上述した第６実施例と同様に、例えば、大セルのＷＣＤＭＡの基地局から同報送信される周辺セル情報に、大セルの圏内に存在する小セルのＬＴＥの情報も同時に送信するようになっている。
【０２０９】
さらに、本第７実施例では、現に通信を行っている大セルの基地局と同じ場所に小セルの基地局が存在することが同報されている場合、例えば、接続しているＷＣＤＭＡの基地局がＬＴＥの基地局でもある場合に関するものである。
【０２１０】
すなわち、本第７実施例は、接続セルの受信電界強度が一定レベルを上回った場合のみ、アイドル中または圏外中の小セルのＬＴＥシステムでの周辺セルサーチを実施するようになっている。
【０２１１】
ここで、図２６および図２７は、ＬＴＥで同報送信される周辺セル情報に隣接セルおよび近隣セルがある場合の例を示し、図２８および図２９は、ＬＴＥで同報送信される周辺セル情報に隣接セルおよび近隣セルがない場合の例を示す。
【０２１２】
まず、本第７実施例では、大セルＬＣ１のＷＣＤＭＡの基地局ＢＳ１から同報送信される周辺セル情報に、大セルＬＣ１の圏内に存在する小セルＳＣ１のＬＴＥの情報も同時に送信される。ここで、本第７実施例において、周辺セル情報には、小セルＳＣ１の位置情報が含まれている。
【０２１３】
すなわち、図２７および図２９と前述した図２２および図２４との比較から明らかなように、本第７実施例では、例えば、大セルＬＣ１のＷＣＤＭＡと小セルＳＣ１のＬＴＥが同じ基地局ＢＳ１であることが分かるようになっている。
【０２１４】
これにより、図２６および図２８に示されるように、大セルＬＣ１におけるＷＣＤＭＡの電界強度が基準値よりも強くなるまで、周辺セルサーチを停止して消費電力をより一層低減することが可能になる。
【０２１５】
図３０は、図２６〜図２９に示す無線通信システムの制御方法の第７実施例の処理の一例を説明するためのフローチャートである。図３０と前述した図２５との比較から明らかなように、図３０の第７実施例のフローチャートでは、図２５の第６実施例におけるステップＳＴ１５〜ＳＴ１７とステップＳＴ９の間に、ステップＳＴ７１が挿入されている。
【０２１６】
すなわち、図２５を参照して説明した第６実施例における各ステップＳＴ６１〜ＳＴ６４の処理を行ってステップＳＴ１５に進み、ＬＴＥはアイドルか否かを判定する。ステップＳＴ１５において、ＬＴＥはアイドルではないと判定するとステップＳＴ７１に進む。
【０２１７】
また、ステップＳＴ１５において、ＬＴＥはアイドル状態であると判定すると、ステップＳＴ１６に進んで、位置登録タイマは満了しているか否かを判定する。ステップＳＴ１６において、位置登録タイマは満了していない、すなわち、位置登録タイマ期間が経過していないと判定すると、ステップＳＴ７１に進む。
【０２１８】
さらに、ステップＳＴ１６において、位置登録タイマ期間が経過している判定すると、ステップＳＴ１７に進んで、ＬＴＥをアイドルから切断状態にした後、ステップＳＴ７１に進む。
【０２１９】
ステップＳＴ７１では、ＬＴＥに隣接セルが存在し、且つ、ＷＣＤＭＡの受信品質が閾値よりも低いか否かを判定する。ステップＳＴ７１において、ＬＴＥに隣接セルが存在するが、ＷＣＤＭＡの受信品質が閾値よりも低いと判定すると、ステップＳＴ５１に戻って前述した処理を繰り返す。
【０２２０】
一方、ステップＳＴ７１において、ＬＴＥに隣接セルが存在してＷＣＤＭＡの受信品質が閾値よりも低くない(高い)、すなわち、移動端末ＭＳがＬＴＥとＷＣＤＭＡの共通の基地局ＢＳ１の近くに来ていると判定すると、ステップＳＴ９に進む。
【０２２１】
そして、ステップＳＴ９において、ＬＴＥの周辺セルサーチを行ってステップＳＴ１０に進み、前述したステップＳＴ１０以降の処理を行う。このように、移動端末ＭＳがＬＴＥ(およびＷＣＤＭＡ)の基地局ＢＳ１に近い場合だけＬＴＥの周辺セルサーチを行うことにより、消費電力をより一層低減することができる。
【０２２２】
以上、実施形態を説明したが、ここに記載したすべての例や条件は、発明および技術に適用する発明の概念の理解を助ける目的で記載されたものであり、特に記載された例や条件は発明の範囲を制限することを意図するものではない。また、明細書のそのような記載は、発明の利点および欠点を示すものでもない。発明の実施形態を詳細に記載したが、各種の変更、置き換え、変形が発明の精神および範囲を逸脱することなく行えることが理解されるべきである。
【０２２３】
以上の実施例を含む実施形態に関し、さらに、以下の付記を開示する。
（付記１）
第１サービスエリアを有する第１セルの第１無線通信システムにより通信を行う第１無線通信回路と、
前記第１サービスエリアよりも狭い第２サービスエリアを有する第２セルの第２無線通信システムにより通信を行う第２無線通信回路と、
通信システムを前記第１無線通信システムおよび前記第２無線通信システムの間で切り替えて通信を制御する制御回路と、を有し、
前記制御回路は、通信システムを前記第１無線通信システムおよび前記第２無線通信システムの間で切り替える時に、前記第１無線通信回路および前記第２無線通信回路を制御して、切り替え前の通信システムをアイドルに設定する、
ことを特徴とする無線局。
【０２２４】
（付記２）
前記制御回路は、
通信システムを前記第１無線通信システムから前記第２無線通信システムに切り替える時、
前記第１無線通信システムをアイドルに設定すると共に、前記第２無線通信システムをアクティブに設定して当該第２無線通信システムにより通信を行い、
前記第１無線通信システムの周辺セルサーチを停止するように、
前記第１無線通信回路および前記第２無線通信回路を制御する、
ことを特徴とする付記１に記載の無線局。
【０２２５】
（付記３）
前記制御回路は、
前記無線局が前記第２無線通信システムに接続されている時、
前記第１無線通信システムのキープアライブ送信を行って、前記アイドルを維持するように、
前記第１無線通信回路および前記第２無線通信回路を制御する、
ことを特徴とする付記２に記載の無線局。
【０２２６】
（付記４）
前記制御回路は、
通信システムを前記第２無線通信システムから前記第１無線通信システムに切り替える時、
前記第２無線通信システムをアイドルに設定すると共に、前記第１無線通信システムをアクティブに設定して当該第１無線通信システムにより通信を行い、
前記第２無線通信システムによる第１のタイマ期間内において、前記第２無線通信システムの新たな第２セルが見つかった場合には前記アイドルを継続し、前記第２無線通信システムの新たな第２セルが見つからない場合にはサービス範囲外の処理を行うように、
前記第１無線通信回路および前記第２無線通信回路を制御する、
ことを特徴とする付記１に記載の無線局。
【０２２７】
（付記５）
前記制御回路は、
前記無線局が前記第１無線通信システムに接続されている時、
前記第１無線通信システムの他の無線局からの第１周辺セル情報に、現在接続している前記第１無線通信システムの第１セル内に前記第２無線通信システムの第２セルが存在することが含まれる場合、前記第２無線通信システムのサービス範囲外または前記アイドルの処理において周辺セルサーチを実施するように、
前記第１無線通信回路および前記第２無線通信回路を制御する、
ことを特徴とする付記１に記載の無線局。
【０２２８】
（付記６）
前記制御回路は、
前記無線局が前記第１無線通信システムに接続されている時、
前記第１無線通信システムの他の無線局からの第１周辺セル情報に、現在接続している前記第１無線通信システムの第１セルの他の無線局と同じ場所に前記第２無線通信システムの第２セルの他の無線局が存在することが含まれる場合、
接続している前記第１無線通信システムの第１セルの受信信号強度または搬送波レベル対干渉・雑音比が第１の基準を満足した場合、前記第２無線通信システムのサービス範囲外または前記アイドルの処理において周辺セルサーチを実施するように、
前記第１無線通信回路および前記第２無線通信回路を制御する、
ことを特徴とする付記５に記載の無線局。
【０２２９】
（付記７）
前記制御回路は、
前記無線局が前記第２無線通信システムに接続されている時、
前記第２無線通信システムの他の無線局からの第２周辺セル情報に、現在接続している前記第２無線通信システムの第２セルに対して，直接接している隣接セル，または，直接接してはいないが近くの近接セルが存在することが判別可能な情報として含まれる場合、
接続している前記第２無線通信システムの第２セルに対して，ハンドオーバ可能な前記隣接セルがなく、且つ、前記近隣セルが存在する場合には接続している前記第２無線通信システムをアイドルに設定して前記第１無線通信システムに切り替え、前記近隣セルが存在しない場合には接続している前記第２無線通信システムをアイドルに設定せずに切断処理を行うように、
前記第１無線通信回路および前記第２無線通信回路を制御する、
ことを特徴とする付記１に記載の無線局。
【０２３０】
（付記８）
前記制御回路は、
通信システムを前記第２無線通信システムから前記第１無線通信システムに切り替える時、
前記第１無線通信システムの他の無線局からの第１周辺セル情報に、現在接続している前記第１無線通信システムの第１セル内に前記第２無線通信システムの第２セルが存在することが含まれる場合、前記第２無線通信システムのサービス範囲外または前記アイドルの処理において周辺セルサーチを実施するように、
前記第１無線通信回路および前記第２無線通信回路を制御する、
ことを特徴とする付記７に記載の無線局。
【０２３１】
（付記９）
前記制御回路は、
前記無線局が前記第１無線通信システムに接続されている時、
前記第１無線通信システムの他の無線局からの第１周辺セル情報に、現在接続している前記第１無線通信システムの第１セルの他の無線局と同じ場所に前記第２無線通信システムの第２セルの他の無線局が存在することが含まれる場合、
接続している前記第１無線通信システムの第１セルの受信信号強度または搬送波レベル対干渉・雑音比が第１の基準を満足した場合、前記第２無線通信システムのサービス範囲外または前記アイドルの処理において周辺セルサーチを実施するように、
前記第１無線通信回路および前記第２無線通信回路を制御する、
ことを特徴とする付記８に記載の無線局。
【０２３２】
（付記１０）
第１サービスエリアを有する第１セルの第１無線通信システムにより通信を行う第１無線通信回路と、
前記第１サービスエリアよりも狭い第２サービスエリアを有する第２セルの第２無線通信システムにより通信を行う第２無線通信回路と、
通信システムを前記第１無線通信システムおよび前記第２無線通信システムの間で切り替えて通信を制御する制御回路と、を有し、
前記制御回路は、通信システムを前記第１無線通信システムおよび前記第２無線通信システムの間で切り替える時に、前記第１無線通信回路および前記第２無線通信回路を制御して切り替え前の通信システムをアイドルに設定する、
ことを特徴とする半導体装置。
【０２３３】
（付記１１）
前記制御回路は、
通信システムを前記第１無線通信システムから前記第２無線通信システムに切り替える時、
前記第１無線通信システムをアイドルに設定すると共に、前記第２無線通信システムをアクティブに設定して当該第２無線通信システムにより通信を行い、
前記第１無線通信システムの周辺セルサーチを停止するように、
前記第１無線通信回路および前記第２無線通信回路を制御する、
ことを特徴とする付記１０に記載の半導体装置。
【０２３４】
（付記１２）
前記制御回路は、
通信システムを前記第２無線通信システムから前記第１無線通信システムに切り替える時、
前記第２無線通信システムをアイドルに設定すると共に、前記第１無線通信システムをアクティブに設定して当該第１無線通信システムにより通信を行い、
前記第２無線通信システムによる第１のタイマ期間内において、前記第２無線通信システムの新たな第２セルが見つかった場合には前記アイドルを継続し、前記第２無線通信システムの新たな第２セルが見つからない場合にはサービス範囲外の処理を行うように、
前記第１無線通信回路および前記第２無線通信回路を制御する、
ことを特徴とする付記１０に記載の半導体装置。
【０２３５】
（付記１３）
前記制御回路は、
前記無線局が前記第１無線通信システムに接続されている時、
前記第１無線通信システムの他の無線局からの第１周辺セル情報に、現在接続している前記第１無線通信システムの第１セル内に前記第２無線通信システムの第２セルが存在することが含まれる場合、前記第２無線通信システムのサービス範囲外または前記アイドルの処理において周辺セルサーチを実施するように、
前記第１無線通信回路および前記第２無線通信回路を制御する、
ことを特徴とする付記１０に記載の半導体装置。
【０２３６】
（付記１４）
前記制御回路は、
前記無線局が前記第２無線通信システムに接続されている時、
前記第２無線通信システムの他の無線局からの第２周辺セル情報に、現在接続している前記第２無線通信システムの第２セルに対して，直接接している隣接セル，または，直接接してはいないが近くの近接セルが存在することが判別可能な情報として含まれる場合、
接続している前記第２無線通信システムの第２セルに対して，ハンドオーバ可能な前記隣接セルがなく、且つ、前記近隣セルが存在する場合には接続している前記第２無線通信システムをアイドルに設定して前記第１無線通信システムに切り替え、前記近隣セルが存在しない場合には接続している前記第２無線通信システムをアイドルに設定せずに切断処理を行うように、
前記第１無線通信回路および前記第２無線通信回路を制御する、
ことを特徴とする付記１０に記載の半導体装置。
【０２３７】
（付記１５）
第１サービスエリアを有する第１セルの第１無線通信システムにより通信を行う第１無線局と、
前記第１サービスエリアよりも狭い第２サービスエリアを有する第２セルの第２無線通信システムにより通信を行う第２無線局と、
前記第１無線局または前記第２無線局と通信を行う第３無線局と、を含む無線通信システムであって、
前記第３無線局は、
前記第１無線通信システムにより通信を行う第１無線通信回路と、
前記第２無線通信システムにより通信を行う第２無線通信回路と、
通信システムを前記第１無線通信システムおよび前記第２無線通信システムの間で切り替えて通信を制御する制御回路と、を有し、
前記制御回路は、通信システムを前記第１無線通信システムおよび前記第２無線通信システムの間で切り替える時に、前記第１無線通信回路および前記第２無線通信回路を制御して、切り替え前の通信システムをアイドルに設定する
ことを特徴とする無線通信システム。
【０２３８】
（付記１６）
第１サービスエリアを有する第１セルの第１無線通信システムにより通信を行う第１無線局と、
前記第１サービスエリアよりも狭い第２サービスエリアを有する第２セルの第２無線通信システムにより通信を行う第２無線局と、
前記第１無線局または前記第２無線局と通信を行う第３無線局と、を含む無線通信システムの制御方法であって、
前記第３無線局によって、前記第１無線通信システムおよび前記第２無線通信システムのいずれか一方により、前記第１無線局および前記第２無線局のいずれか一方との間で通信を行い、
前記第３無線局において、通信システムを前記第１無線通信システムおよび前記第２無線通信システムの間で切り替える時に、切り替え前の通信システムをアイドルに設定する、
ことを特徴とする無線通信システムの制御方法。
【０２３９】
（付記１７）
前記第３無線局において、通信システムを前記第１無線通信システムから前記第２無線通信システムに切り替える時、
前記第３無線局において、前記第１無線通信システムをアイドルに設定すると共に、前記第２無線通信システムをアクティブに設定して当該第２無線通信システムにより前記第２無線局と通信を行い、
前記第１無線通信システムの周辺セルサーチを停止する、
ことを特徴とする付記１６に記載の無線通信システムの制御方法。
【０２４０】
（付記１８）
前記第３無線局において、通信システムを前記第２無線通信システムから前記第１無線通信システムに切り替える時、
前記第３無線局において、前記第２無線通信システムをアイドルに設定すると共に、前記第１無線通信システムをアクティブに設定して当該第１無線通信システムにより前記第１無線局と通信を行い、
前記第２無線通信システムによる第１のタイマ期間内において、前記第２無線通信システムの新たな第２セルが見つかった場合には前記アイドルを継続し、前記第２無線通信システムの新たな第２セルが見つからない場合にはサービス範囲外の処理を行う、
ことを特徴とする付記１６に記載の無線通信システムの制御方法。
【０２４１】
（付記１９）
前記第３無線局が前記第１無線通信システムにより前記第１無線局と通信を行っている時、
前記第３無線局において、前記第１無線通信システムの前記第１無線局からの第１周辺セル情報に、現在接続している前記第１無線通信システムの第１セル内に前記第２無線通信システムの第２セルが存在することが含まれる場合、前記第２無線通信システムのサービス範囲外または前記アイドルの処理において周辺セルサーチを実施する、
ことを特徴とする付記１６に記載の無線通信システムの制御方法。
【０２４２】
（付記２０）
前記第３無線局が前記第２無線通信システムにより前記第２無線局と通信を行っている時、
前記第３無線局において、前記第２無線通信システムの前記第２無線局からの第２周辺セル情報に、現在接続している前記第２無線通信システムの第２セルに対して，直接接している隣接セル，または，直接接してはいないが近くの近接セルが存在することが判別可能な情報として含まれる場合、
接続している前記第２無線通信システムの第２セルに対して，ハンドオーバ可能な前記隣接セルがなく、且つ、前記近隣セルが存在する場合には接続している前記第２無線通信システムをアイドルに設定して前記第１無線通信システムに切り替え、前記近隣セルが存在しない場合には接続している前記第２無線通信システムをアイドルに設定せずに切断処理を行う、
ことを特徴とする付記１６に記載の無線通信システムの制御方法。
【符号の説明】
【０２４３】
１，１０１    ＣＰＵ(アプリケーションプロセッサ)
２    ＬＴＥ(狭域通信システム)部
３    ＷＣＤＭＡ(広域通信システム)部
１０，１１０    システム切り替え管理装置
１０ａ，１１０ａ    周辺セル情報処理部
１０ｂ，１１０ｂ    受信電界強度/ＣＩＮＲ判定処理部
１０ｃ，１１０ｃ    周辺セルサーチ結果情報処理部
１０ｄ，１１０ｄ    システム選択処理部
２１，１２１    ＬＴＥプロトコル処理部
２２    ＬＴＥベースバンド処理部
２３，３３    高周波(ＲＦ)モジュール
２４，３４    パワーアンプ(ＰＡ)
２５，３５    ローノイズアンプ(ＬＮＡ)
２６，３６    ＲＳＳＩ計算ユニット
２７，３７    ＣＩＮＲ計算ユニット
２８，３８，３８１〜３８４    アンテナ
３１，１３１    ＷＣＤＭＡプロトコル処理部
３２    ＷＣＤＭＡベースバンド処理部
１００    半導体装置(ＳｏＣ)
１０２    ＬＴＥベースバンドプロセッサ
１０３    ＷＣＤＭＡベースバンドプロセッサ
１０４    ＷｉＭＡＸベースバンドプロセッサ
１０５    ＲＦインターフェース
１４１    ＷｉＭＡＸプロトコル処理部
１４２    ＷｉＭＡＸベースバンド処理部
２００    ＳＤＲＡＭ
３００    無線局(移動端末，ＭＳ)
３０１    アプリケーションプロセッサ
３０２    第１無線通信部
３０３    第２無線通信部
３０４    第３無線通信部
３０６    パワー管理装置
３０７    バッテリ
３５１    フラッシュメモリ
３５２    マイク
３５３    スピーカ
３５４    ディスプレイ
３５５    ＳＤＲＡＭ(メモリ)
ＢＳ１，ＢＳ２，ＢＳ３，ＢＳ３０    基地局
ＬＣ０，ＬＣ１，ＬＣ３，ＬＣ４    大セル（ＷＣＤＭＡのセル）
ＭＳ    移動端末
ＳＣ１，ＳＣ２，ＳＣ３    小セル（ＬＴＥのセル）
【図１】
2014068209.tif 000003
【図２】
2014068209.tif 000004
【図３】
2014068209.tif 000005
【図４】
2014068209.tif 000006
【図５】
2014068209.tif 000007
【図６】
2014068209.tif 000008
【図７】
2014068209.tif 000009
【図８】
2014068209.tif 000010
【図９】
2014068209.tif 000011
【図１０】
2014068209.tif 000012
【図１１】
2014068209.tif 000013
【図１２】
2014068209.tif 000014
【図１３】
2014068209.tif 000015
【図１４】
2014068209.tif 000016
【図１５】
2014068209.tif 000017
【図１６】
2014068209.tif 000018
【図１７】
2014068209.tif 000019
【図１８】
2014068209.tif 000020
【図１９】
2014068209.tif 000021
【図２０】
2014068209.tif 000022
【図２１】
2014068209.tif 000023
【図２２】
2014068209.tif 000024
【図２３】
2014068209.tif 000025
【図２４】
2014068209.tif 000026
【図２５】
2014068209.tif 000027
【図２６】
2014068209.tif 000028
【図２７】
2014068209.tif 000029
【図２８】
2014068209.tif 000030
【図２９】
2014068209.tif 000031
【図３０】
2014068209.tif 000032